(57)【要約】      （修正有）【課題】紙通し装置及び印刷機並びに印刷準備作業方法において、印刷準備時間を短縮することで作業性の向上を図る。【解決手段】給紙装置Ｒとインフィード装置Ｉと印刷装置Ｕとウェブパス装置Ｄを同期して駆動することで、複数の給紙ユニットＲ１，Ｒ２，Ｒ３，Ｒ４，Ｒ５のうち、１つの給紙ユニットから繰り出されたウェブＷを折機Ｆに通すと共に、残りの複数の給紙ユニットから繰り出された複数のウェブＷをスリッタＤ１１の手前に通す第１紙通しモードと、印刷ユニットＵ１，Ｕ２，Ｕ３，Ｕ４，Ｕ５を単独駆動可能とする版替え用単独駆動指令モードを設け、第１紙通しモードの実行時に、ウェブＷが折機Ｆに到達したまたはウェブＷがスリッタＤ１１の手前に到達した紙通し経路にある印刷ユニットＵ１，Ｕ２，Ｕ３，Ｕ４，Ｕ５の同期駆動を解除して版替え用単独駆動指令モードを実行する。【選択図】図１
2018020458.tif 000002
【特許請求の範囲】
【請求項１】
ウェブを供給する複数の給紙ユニットを有する給紙装置と、
前記複数の給紙ユニットから繰り出された複数のウェブに対して印刷を施す複数の印刷ユニットを有する印刷装置と、
前記複数の印刷ユニットにより印刷が施された複数のウェブをスリッタにより縦裁断した後に経路を調整して重ね順を設定するウェブパス装置と、
前記ウェブパス装置からの複数のウェブを設定された重ね順に重ねると共に断裁してから折り畳むことで折帖を形成する折機と、
を備える印刷機において、前記複数の給紙ユニットから繰り出された複数のウェブを前記折機に通す紙通し装置であって、
前記給紙装置と前記印刷装置と前記ウェブパス装置を同期して駆動することで、前記複数の給紙ユニットのうちの１つの前記給紙ユニットから繰り出されたウェブを前記折機に通すと共に、前記複数の給紙ユニットのうちの残りの複数の前記給紙ユニットから繰り出された複数のウェブを前記スリッタの手前に通す第１紙通しモードと、
前記給紙装置と前記ウェブパス装置の同期駆動に対して前記印刷ユニットを単独駆動可能とする印刷単独駆動モード、
を有し、
前記第１紙通しモードの実行時にウェブが前記折機に到達した紙通し経路にある前記印刷ユニットまたはウェブが前記スリッタの手前に到達した紙通し経路にある前記印刷ユニットの同期駆動を解除して前記印刷単独駆動モードを実行する、
ことを特徴とする紙通し装置。
【請求項２】
前記第１紙通しモードの実行指令を出力するウェブ運転操作装置と、前記印刷単独駆動モードの実行指令を出力するユニット運転操作装置と、前記ウェブ運転操作装置と前記ユニット運転操作装置からの指令が入力することで前記給紙装置と前記印刷装置と前記ウェブパス装置を駆動制御する制御装置とが設けられることを特徴とする請求項１に記載の紙通し装置。
【請求項３】
前記給紙装置と前記印刷装置と前記ウェブパス装置を同期して駆動する同期運転モードと、前記給紙装置と前記印刷装置と前記ウェブパス装置を同期して駆動可能であると共に前記印刷ユニットだけを単独駆動可能である紙通し用印刷単独駆動モードとが設けられ、前記制御装置は、前記第１紙通しモードの実行指令が入力すると、前記同期運転モードから前記紙通し用印刷単独駆動モードに切り替えて前記第１紙通しモードを実行することを特徴とする請求項２に記載の紙通し装置。
【請求項４】
前記スリッタの手前に到達した複数のウェブを前記折機に通す第２紙通しモードが設けられ、前記制御装置は、前記第１紙通しモードの完了後に前記紙通し用印刷単独駆動モードで前記第２紙通しモードを実行することを特徴とする請求項３に記載の紙通し装置。
【請求項５】
前記スリッタの手前に到達した複数のウェブを前記折機に通す順序を設定する紙通し調整装置が設けられることを特徴とする請求項４に記載の紙通し装置。
【請求項６】
前記制御装置は、前記紙通し調整装置からの入力指令により前記印刷単独駆動モードから前記第２紙通しモードに切り替えることを特徴とする請求項５に記載の紙通し装置。
【請求項７】
ウェブを前記折機に通す紙通し経路と、ウェブを前記スリッタの手前に通す紙通し経路を設定する紙通し操作装置が設けられることを特徴とする請求項１から請求項６のいずれか一項に記載の紙通し装置。
【請求項８】
前記給紙ユニットから繰り出されたウェブを前記折機に通す紙通し経路は、前記複数の給紙ユニットから前記折機までの紙通し経路が最も短い紙通し経路に設定されることを特徴とする請求項１から請求項７のいずれか一項に記載の紙通し装置。
【請求項９】
前記スリッタの手前に最初に到達した紙通し経路のユニットが、前記給紙ユニットから繰り出されたウェブを前記折機に通す紙通し経路に設定されることを特徴とする請求項１から請求項７のいずれか一項に記載の紙通し装置。
【請求項１０】
前記給紙装置から前記折機までのウェブの紙通し経路に沿って配設されるガイドレールと、前記ウェブの先端部が結合されて前記ガイドレールに沿って走行自在な走行体と、前記走行体を前記ガイドレールに沿って走行駆動する駆動装置と、前記走行体が前記スリッタの手前に到達したことを検出する第１センサと、前記走行体が前記折機に到達したことを検出する第２センサが設けられ、前記制御装置は、前記第１センサ及び前記第２センサの検出信号に基づいて前記駆動装置を制御することを特徴とする請求項２から請求項６のいずれか一項に記載の紙通し装置。
【請求項１１】
前記第２紙通しモードは、前記スリッタの手前に到達した複数のウェブを順に前記折機に通すモードであり、前記スリッタに停止する１つのウェブに結合された走行体が移動を開始し、前記折機に到達して前記第２センサが前記走行体を検出すると、前記制御装置は、前記駆動装置により前記折機に到達した前記走行体を停止し、前記スリッタに停止している次のウェブに結合された走行体の移動を開始することを特徴とする請求項１０に記載の紙通し装置。
【請求項１２】
前記第２紙通しモードは、前記スリッタの手前に到達した複数のウェブを順に前記折機に通すモードであり、前記スリッタに停止する１つのウェブに結合された走行体が移動を開始し、前記折機に到達して前記第２センサが前記走行体を検出すると、前記制御装置は、前記駆動装置により前記折機に到達した前記走行体を停止し、前記走行体が前記ガイドレールから排出されると、前記スリッタに停止している次のウェブに結合された走行体の移動を開始することを特徴とする請求項１０に記載の紙通し装置。
【請求項１３】
前記走行体が前記印刷ユニットの手前に到達したことを検出する第３センサが設けられ、前記制御装置は、前記第３センサが予め設定された所定数の走行体を検出すると、前記第１紙通しモードを実行することを特徴とする請求項１０から請求項１２のいずれか一項に記載の紙通し装置。
【請求項１４】
前記複数の給紙ユニットから前記折機までの紙通し経路における紙通しの異常を検出する紙通し異常検出装置が設けられることを特徴とする請求項１から請求項１３のいずれか一項に記載の紙通し装置。
【請求項１５】
ウェブを供給する複数の給紙ユニットを有する給紙装置と、
前記複数の給紙ユニットから繰り出された複数のウェブに対して印刷を施す複数の印刷ユニットを有する印刷装置と、
前記複数の印刷ユニットにより印刷が施された複数のウェブの経路を調整して重ね順を設定するウェブパス装置と、
前記ウェブパス装置からの複数のウェブを設定された重ね順に重ねると共に断裁してから折り畳むことで折帖を形成する折機と、
請求項１から請求項１４のいずれか一項に記載の紙通し装置と、
を備えることを特徴とする印刷機。
【請求項１６】
ウェブを供給する複数の給紙ユニットを有する給紙装置と、
前記複数の給紙ユニットから繰り出された複数のウェブに対して印刷を施す複数の印刷ユニットを有する印刷装置と、
前記複数の印刷ユニットにより印刷が施された複数のウェブの経路を調整して重ね順を設定するウェブパス装置と、
前記ウェブパス装置からの複数のウェブを設定された重ね順に重ねると共に断裁してから折り畳むことで折帖を形成する折機と、
を備える印刷機において、
前記複数の給紙ユニットのうちの１つの前記給紙ユニットから繰り出されたウェブを前記折機に通すと共に、前記複数の給紙ユニットのうちの残りの複数の前記給紙ユニットから繰り出された複数のウェブを前記スリッタの手前に通す第１紙通しステップと、
ウェブが前記折機に到達した紙通し経路にある前記印刷ユニットまたは前記スリッタの手前に到達した紙通し経路にある前記印刷ユニットを単独駆動可能とするステップと、
単独駆動可能となった前記印刷ユニットにおける版胴の版交換作業を実施するステップと、
前記版胴の版交換作業が完了した前記印刷ユニットがある紙通し経路のウェブを前記折機に通す第２紙通しステップと、
を有することを特徴とする印刷準備作業方法。
【発明の詳細な説明】
【技術分野】
【０００１】
本発明は、印刷開始前にウェブを給紙部から印刷機を介して折機へ通すための紙通し装置、この紙通し装置を備える印刷機、印刷準備作業方法に関するものである。
【背景技術】
【０００２】
例えば、新聞用オフセット輪転印刷機は、給紙装置と印刷装置とウェブパス装置と折機とから構成されている。そして、この新聞用オフセット輪転印刷機は、印刷開始前に、給紙装置に支持された巻取紙（ロール紙）から繰り出されたウェブの先端部に対して仕立を行い、このウェブを給紙装置から印刷装置を介して折機まで導く紙通し作業を実施する必要がある。この場合、給紙装置や印刷装置は、複数の給紙部及び複数の印刷部を有しており、各給紙部のウェブに対して順次紙通し作業を実施している。
【０００３】
これに対して、各給紙ユニットのウェブに対して同時に紙通し作業を実施することが、例えば、下記特許文献１により提案されている。この特許文献１に記載された紙通し装置は、１個の給紙部から繰り出されたウェブを給紙部から折部まで紙通しを行うと同時に、残りの複数の給紙部から繰り出されたウェブをスリッタ部の直前まで紙通しを行い、その後、スリッタ部から折部までウェブを順に紙通しを行うものである。
【先行技術文献】
【特許文献】
【０００４】
【特許文献１】特開２００８−２８０１６７号公報
【発明の概要】
【発明が解決しようとする課題】
【０００５】
新聞用オフセット輪転印刷機にて、給紙装置は、複数の給紙部の設置位置が相違することから、給紙部からスリッタ部までのウェブの走行経路の長さ（時間）が給紙部ごとに相違している。そのため、上述した特許文献１に記載された紙通し装置のように、複数の給紙部から繰り出されたウェブをスリッタ部の直前まで同時に紙通しを行うと、給紙部からスリッタ部までのウェブの走行経路の短いものから順に紙通し作業が終了し、ウェブの走行経路の長いものの紙通し作業が終了するまでに待ち時間が発生する。すると、紙通し作業後に実施する版交換作業などの印刷準備作業を実施することが困難となる。
【０００６】
本発明は、上述した課題を解決するものであり、印刷準備時間を短縮することで作業性の向上を図る紙通し装置及び印刷機並びに印刷準備作業方法を提供することを目的とする。
【課題を解決するための手段】
【０００７】
上述の目的を達成するための本発明の紙通し装置は、ウェブを供給する複数の給紙ユニットを有する給紙装置と、前記複数の給紙ユニットから繰り出された複数のウェブに対して印刷を施す複数の印刷ユニットを有する印刷装置と、前記複数の印刷ユニットにより印刷が施された複数のウェブをスリッタにより縦裁断した後に経路を調整して重ね順を設定するウェブパス装置と、前記ウェブパス装置からの複数のウェブを設定された重ね順に重ねると共に断裁してから折り畳むことで折帖を形成する折機と、を備える印刷機において、前記複数の給紙ユニットから繰り出された複数のウェブを前記折機に通す紙通し装置であって、前記給紙装置と前記印刷装置と前記ウェブパス装置を同期して駆動することで、前記複数の給紙ユニットのうちの１つの前記給紙ユニットから繰り出されたウェブを前記折機に通すと共に、前記複数の給紙ユニットのうちの残りの複数の前記給紙ユニットから繰り出された複数のウェブを前記スリッタの手前に通す第１紙通しモードと、前記給紙装置と前記ウェブパス装置の同期駆動に対して前記印刷ユニットを単独駆動可能とする印刷単独駆動モード、を有し、前記第１紙通しモードの実行時にウェブが前記折機に到達した紙通し経路にある前記印刷ユニットまたはウェブが前記スリッタの手前に到達した紙通し経路にある前記印刷ユニットの同期駆動を解除して前記印刷単独駆動モードを実行する、ことを特徴とするものである。
【０００８】
従って、第１紙通しモードにて、複数の給紙ユニットから繰り出された各ウェブは、対応する各印刷ユニットを通ってウェブパス装置へ供給され、１つのウェブがウェブパス装置を通過して折機まで供給されて停止し、残りのウェブがスリッタの手前まで供給されて停止する。このとき、各給紙ユニットからスリッタまでの紙通し経路の長さが相違することから、複数のウェブは折機またはスリッタの手前に順番に到達する。そして、ウェブが折機に到達した紙通し経路にある印刷ユニット、または、ウェブがスリッタの手前に到達した紙通し経路にある印刷ユニットから順に同期駆動が解除されて印刷単独駆動モードとなる。この印刷単独駆動モードは、給紙装置とウェブパス装置に対して印刷ユニットが単独駆動可能であるため、例えば、ウェブが折機またはスリッタの手前に到達した紙通し経路にある印刷ユニットから順に版交換作業を実施することができる。その結果、紙通し作業と版交換作業などを同時に実施することができ、印刷準備時間を短縮することで作業性の向上を図ることができる。
【０００９】
本発明の紙通し装置では、前記第１紙通しモードの実行指令を出力するウェブ運転操作装置と、前記印刷単独駆動モードの実行指令を出力するユニット運転操作装置と、前記ウェブ運転操作装置と前記ユニット運転操作装置からの指令が入力することで前記給紙装置と前記印刷装置と前記ウェブパス装置を駆動制御する制御装置とが設けられることを特徴としている。
【００１０】
従って、制御装置は、ウェブ運転操作装置とユニット運転操作装置からの指令に応じて給紙装置と印刷装置とウェブパス装置を駆動制御可能であることから、第１紙通しモードと印刷単独駆動モードとの切替を容易に行うことができると共に、印刷ユニットを単独で容易に駆動することができる。
【００１１】
本発明の紙通し装置では、前記給紙装置と前記印刷装置と前記ウェブパス装置を同期して駆動する同期運転モードと、前記給紙装置と前記印刷装置と前記ウェブパス装置を同期して駆動可能であると共に前記印刷ユニットだけを単独駆動可能である紙通し用印刷単独駆動モードとが設けられ、前記制御装置は、前記第１紙通しモードの実行指令が入力すると、前記同期運転モードから前記紙通し用印刷単独駆動モードに切り替えて前記第１紙通しモードを実行することを特徴としている。
【００１２】
従って、制御装置は、第１紙通しモードの実行指令が入力すると、同期運転モードから紙通し用印刷単独駆動モードに切り替えて第１紙通しモードを実行することから、給紙装置と印刷装置とウェブパス装置を同期して駆動するとき、ウェブが折機やスリッタの手前に到達した紙通し経路にある印刷ユニットから順に停止することができる。
【００１３】
本発明の紙通し装置では、前記スリッタの手前に到達した複数のウェブを前記折機に通す第２紙通しモードが設けられ、前記制御装置は、前記第１紙通しモードの完了後に前記紙通し用印刷単独駆動モードで前記第２紙通しモードを実行することを特徴としている。
【００１４】
従って、制御装置は、第１紙通しモードの完了後に紙通し用印刷単独駆動モードで第２紙通しモードを実行することから、スリッタの手前に到達した各ウェブを容易に折機まで通すことができる。
【００１５】
本発明の紙通し装置では、前記スリッタの手前に到達した複数のウェブを前記折機に通す順序を設定する紙通し調整装置が設けられることを特徴としている。
【００１６】
従って、紙通し調整装置によりスリッタの手前に到達した複数のウェブを折機に通す順序を設定することから、作業者は、印刷形態などに応じてウェブを折機に通す順序を適宜決めることができ、作業性を向上することができる。
【００１７】
本発明の紙通し装置では、前記制御装置は、前記紙通し調整装置からの入力指令により前記印刷単独駆動モードから前記第２紙通しモードに切り替えることを特徴としている。
【００１８】
従って、紙通し調整装置により印刷単独駆動モードから第２紙通しモードに切り替えられることから、スリッタの手前に到達した複数のウェブをスリッタから折機に適切に通すことができる。
【００１９】
本発明の紙通し装置では、ウェブを前記折機に通す紙通し経路と、ウェブを前記スリッタの手前に通す紙通し経路を設定する紙通し操作装置が設けられることを特徴としている。
【００２０】
従って、紙通し操作装置によりウェブを折機に通す紙通し経路とスリッタの手前に通す紙通し経路を設定することができ、印刷形態などに応じてウェブを折機に通す紙通し経路、つまり、給紙ユニットや印刷ユニットを決めることができ、作業性を向上することができる。
【００２１】
本発明の紙通し装置では、前記給紙ユニットから繰り出されたウェブを前記折機に通す紙通し経路は、前記複数の給紙ユニットから前記折機までの紙通し経路が最も短い紙通し経路に設定されることを特徴としている。
【００２２】
従って、給紙ユニットから折機に通す紙通し経路を最も短い紙通し経路に設定することで、給紙ユニットから折機に通す紙通し時間を短くすることができ、待ち時間を短縮して紙通し作業の作業性を向上することができる。
【００２３】
本発明の紙通し装置では、前記スリッタの手前に最初に到達した紙通し経路のユニットが、前記給紙ユニットから繰り出されたウェブを前記折機に通す紙通し経路に設定されることを特徴としている。
【００２４】
従って、スリッタの手前に最初に到達した紙通し経路のユニットを給紙ユニットから繰り出されたウェブを折機に通す紙通し経路に設定することで、給紙ユニットから折機に通す紙通し時間を短くすることができ、また、紙通し開始前に、紙通し経路の選択が不要となり、待ち時間を短縮して紙通し作業の作業性を向上することができる。
【００２５】
本発明の紙通し装置では、前記給紙装置から前記折機までのウェブの紙通し経路に沿って配設されるガイドレールと、前記ウェブの先端部が結合されて前記ガイドレールに沿って走行自在な走行体と、前記走行体を前記ガイドレールに沿って走行駆動する駆動装置と、前記走行体が前記スリッタの手前に到達したことを検出する第１センサと、前記走行体が前記折機に到達したことを検出する第２センサが設けられ、前記制御装置は、前記第１センサ及び前記第２センサの検出信号に基づいて前記駆動装置を制御することを特徴としている。
【００２６】
従って、第１センサ及び第２センサがスリッタの手前や折機に到達した走行体を検出すると、制御装置は、各センサが設けられたガイドレールを走行する走行体の駆動を停止することとなり、スリッタの手前や折機に到達したウェブを高精度に停止することができる。
【００２７】
本発明の紙通し装置では、前記第２紙通しモードは、前記スリッタの手前に到達した複数のウェブを順に前記折機に通すモードであり、前記スリッタに停止する１つのウェブに結合された走行体が移動を開始し、前記折機に到達して前記第２センサが前記走行体を検出すると、前記制御装置は、前記駆動装置により前記折機に到達した前記走行体を停止し、前記スリッタに停止している次のウェブに結合された走行体の移動を開始することを特徴としている。
【００２８】
従って、１つのウェブに結合された走行体が折機に到達すると、次のウェブに結合された走行体の移動を開始することで、スリッタに停止しているウェブを連続して紙通しすることができ、作業性を向上することができる。
【００２９】
本発明の紙通し装置では、前記第２紙通しモードは、前記スリッタの手前に到達した複数のウェブを順に前記折機に通すモードであり、前記スリッタに停止する１つのウェブに結合された走行体が移動を開始し、前記折機に到達して前記第２センサが前記走行体を検出すると、前記制御装置は、前記駆動装置により前記折機に到達した前記走行体を停止し、前記走行体が前記ガイドレールから排出されると、前記スリッタに停止している次のウェブに結合された走行体の移動を開始することを特徴としている。
【００３０】
従って、１つのウェブに結合された走行体が折機に到達し、走行体がガイドレールから排出されると、次のウェブに結合された走行体の移動を開始することで、スリッタに停止しているウェブを連続して紙通しすることができると共に、走行体同士の衝突を防止してスムースにウェブの紙通しを行うことができ、作業性を向上することができる。
【００３１】
本発明の紙通し装置では、前記走行体が前記印刷ユニットの手前に到達したことを検出する第３センサが設けられ、前記制御装置は、前記第３センサが予め設定された所定数の走行体を検出すると、前記第１紙通しモードを実行することを特徴としている。
【００３２】
従って、走行体が結合された所定数のウェブに対して先に第１紙通しモードを実行することから、紙通し作業をグループ単位で実施することで、版交換作業を一部先行して実施することができ、作業性の向上を図ることができる。
【００３３】
本発明の紙通し装置では、前記複数の給紙ユニットから前記折機までの紙通し経路における紙通しの異常を検出する紙通し異常検出装置が設けられることを特徴としている。
【００３４】
従って、各給紙ユニットから折機までの紙通し経路にウェブが走行して紙通し作業が実施されるとき、紙通し異常検出装置が走行するウェブにおける紙通しの異常を検出することができる。このとき、異常が発生した紙通し経路のウェブの走行を停止することで、紙詰まりを容易に抑制することができる。また、異常が検出された紙通し経路をパネルに表示したり、報知することで、紙通し作業の異常個所を容易に確認することができ、作業性を向上することができる。
【００３５】
また、本発明の印刷機は、ウェブを供給する複数の給紙ユニットを有する給紙装置と、前記複数の給紙ユニットから繰り出された複数のウェブに対して印刷を施す複数の印刷ユニットを有する印刷装置と、前記複数の印刷ユニットにより印刷が施された複数のウェブの経路を調整して重ね順を設定するウェブパス装置と、前記ウェブパス装置からの複数のウェブを設定された重ね順に重ねると共に断裁してから折り畳むことで折帖を形成する折機と、前記紙通し装置と、を備えることを特徴とするものである。
【００３６】
従って、印刷開始前に、ウェブの紙通し作業を実行するとき、複数のウェブは、折機またはスリッタの手前に順番に到達するため、ウェブが折機に到達した紙通し経路にある印刷ユニット、または、ウェブがスリッタの手前に到達した紙通し経路にある印刷ユニットから順に同期駆動が解除されて印刷単独駆動モードとなる。この印刷単独駆動モードは、給紙装置とウェブパス装置に対して印刷ユニットが単独駆動可能であるため、例えば、ウェブが折機またはスリッタの手前に到達した紙通し経路にある印刷ユニットから順に版交換作業を実施することができる。その結果、紙通し作業と版交換作業などを同時に実施することができ、印刷準備時間を短縮することで作業性の向上を図ることができる。
【００３７】
また、本発明の印刷準備作業方法は、ウェブを供給する複数の給紙ユニットを有する給紙装置と、前記複数の給紙ユニットから繰り出された複数のウェブに対して印刷を施す複数の印刷ユニットを有する印刷装置と、前記複数の印刷ユニットにより印刷が施された複数のウェブの経路を調整して重ね順を設定するウェブパス装置と、前記ウェブパス装置からの複数のウェブを設定された重ね順に重ねると共に断裁してから折り畳むことで折帖を形成する折機と、を備える印刷機において、前記複数の給紙ユニットのうちの１つの前記給紙ユニットから繰り出されたウェブを前記折機に通すと共に、前記複数の給紙ユニットのうちの残りの複数の前記給紙ユニットから繰り出された複数のウェブを前記スリッタの手前に通す第１紙通しステップと、ウェブが前記折機に到達した紙通し経路にある前記印刷ユニットまたは前記スリッタの手前に到達した紙通し経路にある前記印刷ユニットを単独駆動可能とするステップと、単独駆動可能となった前記印刷ユニットにおける版胴の版交換作業を実施するステップと、前記版胴の版交換作業が完了した前記印刷ユニットがある紙通し経路のウェブを前記折機に通す第２紙通しステップと、を有することを特徴とするものである。
【００３８】
従って、各給紙ユニットからスリッタまでの紙通し経路の長さが相違することから、複数のウェブは折機またはスリッタの手前に順番に到達する。そして、ウェブが折機に到達した紙通し経路にある印刷ユニット、または、ウェブがスリッタの手前に到達した紙通し経路にある印刷ユニットから順に同期駆動が解除されて印刷単独駆動モードとなる。この印刷単独駆動モードは、給紙装置とウェブパス装置に対して印刷ユニットが単独駆動可能であるため、例えば、ウェブが折機またはスリッタの手前に到達した紙通し経路にある印刷ユニットから順に版交換作業を実施することができる。その結果、紙通し作業と版交換作業などを同時に実施することができ、印刷準備時間を短縮することで作業性の向上を図ることができる。
【発明の効果】
【００３９】
本発明の紙通し装置及び印刷機並びに印刷準備作業方法によれば、第１紙通しモードの実行時にウェブが折機に到達した紙通し経路にある印刷ユニットまたはウェブがスリッタの手前に到達した紙通し経路にある印刷ユニットの同期駆動を解除して印刷単独駆動モードを実行するため、紙通し作業と版交換作業などを同時に実施することができ、印刷準備時間を短縮することで作業性の向上を図ることができる。
【図面の簡単な説明】
【００４０】
【図１】図１は、本実施形態の新聞用オフセット輪転印刷機を表す概略構成図である。
【図２】図２は、新聞用オフセット輪転印刷機の駆動制御系統を表す概略構成図である。
【図３】図３は、新聞用オフセット輪転印刷機の駆動制御系統の詳細を表す概略構成図である。
【図４】図４は、紙通し装置を表す概略図である。
【図５】図５は、紙通し装置に用いる走行体を表す正面図である。
【図６】図６は、紙通し装置に用いる駆動装置を表す概略図である。
【図７】図７は、紙通し装置の要部を表す斜視図である。
【図８】図８は、紙通し装置におけるウェブの断紙を検出する紙通し異常検出装置を表す概略図である。
【図９】図９は、紙通し順序を説明するための概略図である。
【図１０】図１０は、紙通し作業を表すフローチャートである。
【図１１】図１１は、同時紙通し開始処理を表すフローチャートである。
【図１２】図１２は、ウェブのスリッタ到着処理を表すフローチャートである。
【図１３】図１３は、ウェブの折機到着処理を表すフローチャートである。
【図１４】図１４は、残りのウェブの折機到着処理を表すフローチャートである。
【図１５】図１５は、版交換を実施する場合のウェブのスリッタ到着処理を表すフローチャートである。
【図１６】図１６は、同時紙通し開始処理の変形例を表すフローチャートである。
【発明を実施するための形態】
【００４１】
以下に添付図面を参照して、本発明に係る紙通し装置及び印刷機並びに印刷準備作業方法の好適な実施形態を詳細に説明する。なお、この実施形態により本発明が限定されるものではなく、また、複数の実施形態がある場合には、各実施形態を組み合わせて構成するものも含むものである。
【００４２】
まず、本実施形態の新聞用オフセット輪転印刷機の構成を簡単に説明する。図１は、本実施形態の新聞用オフセット輪転印刷機を表す概略構成図である。
【００４３】
本実施形態において、図１に示すように、新聞用オフセット輪転印刷機（以下、単に印刷機と称する。）Ｐは、給紙装置Ｒと、インフィード装置Ｉと、印刷装置Ｕと、ウェブパス装置Ｄと、折機Ｆとから構成されている。給紙装置Ｒは、複数（本実施形態では、５台）の給紙ユニットＲ１，Ｒ２，Ｒ３，Ｒ４，Ｒ５を有し、インフィード装置Ｉは、複数（本実施形態では、５台）のインフィードユニットＩ１，Ｉ２，Ｉ３，Ｉ４，Ｉ５を有し、印刷装置Ｕは、複数（本実施形態では、５台）の印刷ユニットＵ１，Ｕ２，Ｕ３，Ｕ４，Ｕ５を有し、ウェブパス装置Ｄは、１台のウェブパスユニットＤ１を有し、折機Ｆは、２台の折ユニットＦ１，Ｆ２を有している。なお、給紙ユニットＲ１，Ｒ２，Ｒ３，Ｒ４，Ｒ５、インフィードユニットＩ１，Ｉ２，Ｉ３，Ｉ４，Ｉ５、印刷ユニットＵ１，Ｕ２，Ｕ３，Ｕ４，Ｕ５の台数は、５台に限定されるものではなく、ウェブパスユニットＤ１、折ユニットＦ１，Ｆ２は、複数台としてもよい。
【００４４】
給紙装置Ｒにおいて、給紙ユニットＲ１，Ｒ２，Ｒ３，Ｒ４，Ｒ５は、ほぼ同様の構成をなし、ウェブ（巻取紙）Ｗがロール状に巻かれた３個の巻取紙を保持する保持アームを有し、この保持アームを回動することで、巻取紙を給紙位置に回動することができる。また、この各給紙ユニットＲ１〜Ｒ５は、図示しない紙継装置を有しており、給紙位置で繰り出されている巻取紙が残り少なくなると、この紙継装置により給紙位置にある巻取紙に対して、待機位置にある巻取紙を紙継することができる。
【００４５】
インフィード装置Ｉにおいて、インフィードユニットＩ１，Ｉ２，Ｉ３，Ｉ４，Ｉ５は、ほぼ同様の構成をなし、印刷装置Ｕの各印刷ユニットＵ１，Ｕ２，Ｕ３，Ｕ４，Ｕ５に送り込むウェブＷのテンションを調整することで、印刷装置Ｕを走行するウェブＷのテンションを適正値に安定して維持するようにしている。例えば、各インフィードユニットＩ１，Ｉ２，Ｉ３，Ｉ４，Ｉ５は、インフィードローラ、ダンサローラ、ガイドローラなどを有している。そして、ダンサローラをウェブＷの張り方向に付勢することでウェブＷのテンションを適正にし、このダンサローラの揺動に応じてインフィードローラの周速を変更し、ウェブＷの適正なテンションを維持している。
【００４６】
印刷装置Ｕにおいて、印刷ユニットＵ１，Ｕ２，Ｕ３，Ｕ４，Ｕ５は、ほぼ同様の構成をなし、印刷ユニットＵ１，Ｕ２，Ｕ３は、２色刷りが可能であり、印刷ユニットＵ４，Ｕ５は、４色刷りが可能である。但し、印刷ユニットＵ４，Ｕ５は、上下に分割することで、それぞれを２色刷りの印刷ユニットとして使用することができる。印刷ユニットＵ１，Ｕ２，Ｕ３，Ｕ４，Ｕ５は、インキ供給装置、版胴、ブランケット胴などを有している。
【００４７】
ウェブパス装置Ｄにおいて、ウェブパスユニットＤ１は、印刷ユニットＵ１，Ｕ２，Ｕ３，Ｕ４，Ｕ５に対して設けられている。ウェブパスユニットＤ１は、ウェブＷを縦（ウェブＷの天地長手方向、ウェブＷの搬送方向）に沿ってその幅方向の中央部で裁断するスリッタＤ１１と、縦裁断したウェブＷの走行経路を設定するターンバーＤ１２と、ウェブＷにおける天地長手方向における搬送位置を調整するコンペンセータＤ１３などを有している。
【００４８】
折機Ｆにて、折ユニットＦ１，Ｆ２は、ほぼ同様の構成をなしている。ウェブパスユニットＤ１から複数のウェブＷが重ねられて導入されると、折ユニットＦ１，Ｆ２は、それぞれウェブＷを縦折りし、所定の長さで横裁断し、横折りして折帖を形成し、新聞として排紙することができる。
【００４９】
次に、印刷機Ｐの駆動制御系統について説明する。図２は、新聞用オフセット輪転印刷機の駆動制御系統を表す概略構成図、図３は、新聞用オフセット輪転印刷機の駆動制御系統の詳細を表す概略構成図である。
【００５０】
図２に示すように、印刷機Ｐ（主機側）において、各印刷ユニットＵ１，Ｕ２，Ｕ３，Ｕ４，Ｕ５は、それぞれ主機盤１１，１２，１３，１４，１５が接続されている。ウェブパスユニットＤ１は、主機盤１６が接続され、折ユニットＦ１，Ｆ２は、主機盤１７が接続されている。各印刷ユニットＵ１，Ｕ２，Ｕ３，Ｕ４，Ｕ５（及び各インフィードユニットＩ１，Ｉ２，Ｉ３，Ｉ４，Ｉ５）、ウェブパスユニットＤ１、折ユニットＦ１，Ｆ２は、それぞれ主機モータを有し、各主機盤１１，１２，１３，１４，１５，１６，１７に設けられたアンプにより駆動制御可能となっている。そして、各主機盤１１，１２，１３，１４，１５，１６，１７は、主幹コントローラを有する主幹盤（制御装置）１８に接続されている。主幹盤１８は、各主機盤１１，１２，１３，１４，１５，１６，１７を駆動制御可能となっている。
【００５１】
補機側において、印刷機ユニットＰＬＣ（プログラマブルロジックコントローラ）３１，３２，３３，３４，３５と、ウェブパスユニットＰＬＣ３６と、折機ユニットＰＬＣ３７が主幹盤１８に接続されている。また、給紙ユニットＲ１，Ｒ２，Ｒ３，Ｒ４，Ｒ５に対応する給紙ユニットＰＬＣ３８，３９，４０，４１，４２と、コンソールＰＬＣ４３が主幹盤１８に接続されている。そして、ウェブ運転パネル（ウェブ運転操作装置）５１と、紙通しパネル（紙通し調整装置、紙通し操作装置）５２と、表示パネル５３と、各印刷機ユニット運転パネル（ユニット運転操作装置）５４，５５，５６，５７，５８が接続されている。
【００５２】
ウェブ運転パネル５１は、印刷機運転停止スイッチ５１ａと、紙通しスイッチ５１ｂが設けられている。印刷機運転停止スイッチ５１ａは、印刷機Ｐによる印刷作業の運転と停止を操作するものであり、紙通しスイッチ５１ｂは、紙通し作業の運転と停止を操作するものである。紙通しパネル５２は、５個の紙通し経路に対してそれぞれ５個の選択スイッチ５２ａ，５２ｂ，５２ｃ，５２ｄ，５２ｅと、５個の自動選択スイッチ５２ｆ，５２ｇ，５２ｈ，５２ｉ，５２ｊが設けられると共に、自動選択スイッチ５２ｋ、排出スイッチ５２ｍ、自動選択スイッチ５２ｎが設けられている。各選択スイッチ５２ａ，５２ｂ，５２ｃ，５２ｄ，５２ｅは、ウェブＷの紙通し時にスリッタＤ１１まで紙通しを実施する紙通し経路を選択するものであり、各自動選択スイッチ５２ｆ，５２ｇ，５２ｈ，５２ｉ，５２ｊは、ウェブＷの紙通し時に折ユニットＦ１，Ｆ２まで紙通しを実施する紙通し経路を選択するものである。
【００５３】
自動選択スイッチ５２ｋは、スリッタＤ１１まで紙通しされたウェブＷの折ユニットＦ１，Ｆ２まで紙通しを実施する順序を自動的に設定するものである。排出スイッチ５２ｍは、折機Ｆまで到達したウェブＷの走行体を排出するものであり、自動選択スイッチ５２ｎは、折ユニットＦ１，Ｆ２まで紙通しを実施する紙通し経路を自動的に選択するものである。表示パネル５３は、ウェブＷの紙通し時におけるウェブＷの先端部の走行位置など、紙通し作業の実施状態を表示するものである。各印刷機ユニット運転パネル５４，５５，５６，５７，５８は、各印刷ユニットＵ１，Ｕ２，Ｕ３，Ｕ４，Ｕ５の単独運転と単独停止を操作するものである。
【００５４】
また、ウェブパスユニットＰＬＣ３６は、紙通し用走行体モータ６１と、スリッタ走行体検出センサ（第１センサ）６２と、折機走行体検出センサ（第２センサ）６３と、仕立準備完了位置走行体検出センサ（第３センサ）６４が接続されている。紙通し用走行体モータ６１は、各紙通し経路に対して複数設けられており、走行体を介してウェブＷを牽引して紙通しする駆動装置２０３のモータである。スリッタ走行体検出センサ６２は、各紙通し経路に対してスリッタＤ１１の手前に設けられ、走行体を検出するものである。折機走行体検出センサ６３は、各紙通し経路に対して折ユニットＦ１，Ｆ２の手前に設けられ、走行体を検出するものである。仕立準備完了位置走行体検出センサ６４は、インフィードユニットＩ１，Ｉ２，Ｉ３，Ｉ４，Ｉ５と印刷ユニットＵ１，Ｕ２，Ｕ３，Ｕ４，Ｕ５との間に設けられ、仕立て処理が完了したウェブＷに連結された走行体を検出するものである。
【００５５】
図３に示すように、印刷ユニットＵ５は、インフィードモータ７１と、４個の印刷ユニットモータ７２，７３，７４，７５と、出口モータ７６とを有している。インフィードモータ７１は、インフィードユニットＩ１に設けられたインフィードローラを駆動するものである。４個の印刷ユニットモータ７２，７３，７４，７５は、印刷ユニットＵ１における各インキローラ、版胴、ブランケット胴などを同期して駆動するものである。出口モータ７６は、印刷ユニットＵ１とウェブパスユニットＤ１におけるスリッタＤ１１との間に配置されるドラグローラを駆動するものである。印刷ユニットＵ５に接続される主機盤１５は、印刷ユニットＵ５におけるインフィードモータ７１と、４個の印刷ユニットモータ７２，７３，７４，７５と、出口モータ７６を駆動制御するアンプ７７，７８，７９，８０，８１，８２を有している。
【００５６】
なお、図示しないが、印刷ユニットＵ４及び主機盤１４は、印刷ユニットＵ５及び主機盤１５とほぼ同様の構成となっている。また、印刷ユニットＵ１，Ｕ２，Ｕ３は、２色刷りであることから、２個の印刷ユニットモータとなっており、その他の構成と主機盤１１，１２，１３は、印刷ユニットＵ５及び主機盤１５とほぼ同様の構成となっている。
【００５７】
ウェブパスユニットＤ１は、複数のウェブモータ９１，９２，９３，９４，９５，９６を有している。この各ウェブモータ９１，９２，９３，９４，９５，９６は、ガイドローラなどを駆動するものである。ウェブパスユニットＤ１に接続される主機盤１６は、各ウェブモータ９１，９２，９３，９４，９５，９６を駆動制御するアンプ９７，９８，９９，１００，１０１，１０２を有している。折ユニットＦ１，Ｆ２は、ＲＴＦモータ１１１、折機モータ１１２，１１３を有している。ＲＴＦモータ１１１は、折機Ｆの上部の三角板に配置され、ウェブＷを三角板へ導くドラグローラを駆動するものである。折機モータ１１２，１１３は、縦折りされたウェブＷの横折りや裁断を行う鋸胴や折胴などを駆動するものである。
【００５８】
主幹盤１８は、印刷機Ｐにおける各モータの駆動モードを変更可能となっている。主幹盤１８は、メインプログラム１２１に対して、バーチャルマスター（ＶＭ）指令モード（同期運転モード）１２２、紙通し用単独駆動指令モード１２３、版替え用単独駆動指令モード１２４に変更可能となっている。バーチャルマスター（ＶＭ）指令モード１２２は、ウェブ運転パネル５１の操作により、給紙装置Ｒとインフィード装置Ｉと印刷装置Ｕとウェブパス装置Ｄと折機Ｆの全てのモータを同期して駆動停止するモードである。紙通し用単独駆動指令モード１２３は、紙通し時に、ＶＭ指令モードと同様に、ウェブ運転パネル５１により給紙装置Ｒとインフィード装置Ｉと印刷装置Ｕとウェブパス装置Ｄと折機Ｆの全てのモータを同期して駆動停止することができると共に、紙通しパネル５２により印刷装置Ｕの各印刷ユニットＵ１，Ｕ２，Ｕ３，Ｕ４，Ｕ５及びこの各印刷ユニットＵ１，Ｕ２，Ｕ３，Ｕ４，Ｕ５に関連するモータを単独で駆動停止することができるモードである。版替え用単独駆動指令モード１２４は、版交換時に、各印刷機ユニット運転パネル５４，５５，５６，５７，５８により印刷装置Ｕの各印刷ユニットＵ１，Ｕ２，Ｕ３，Ｕ４，Ｕ５のモータを単独で駆動停止することができるモードである。
【００５９】
主幹盤１８は、バーチャルマスター（ＶＭ）指令モード１２２、紙通し用単独駆動指令モード１２３、版替え用単独駆動指令モード１２４に切替えるための切替スイッチ１２２ａ，１２３ａ，１２４ａが設けられている。この場合、図示しないが、主機盤１５だけでなく、他の主機盤１１，１２，１３，１４に対しても、切替スイッチが設けられ、ＶＭ指令モード、紙通し用単独駆動指令モード、版替え用単独駆動指令モードに変更可能となっている。
【００６０】
ここで、本実施形態の印刷機Ｐにおける紙通し装置について説明する。図４は、紙通し装置を表す概略図、図５は、紙通し装置に用いる走行体を表す正面図、図６は、紙通し装置に用いる駆動装置を表す概略図、図７は、紙通し装置の要部を表す斜視図である。
【００６１】
図４に示すように、印刷形態に応じて予めウェブＷが走行する走行経路（紙通し経路）が設定されており、紙通し装置２００は、給紙装置Ｒにおける給紙ユニットＲ１（Ｒ２，Ｒ３，Ｒ４，Ｒ５）に支持された各ウェブＷがこのウェブパスルートを通るように、インフィード装置Ｉ、印刷装置Ｕ、ウェブパス装置Ｄ、折機Ｆに導くものである。この紙通し装置２００は、給紙装置Ｒの各給紙ユニットＲ１，Ｒ２，Ｒ３，Ｒ４，Ｒ５に対応して設けられており、以下では、代表して給紙ユニットＲ１に装着された紙通し装置２００について説明する。
【００６２】
紙通し装置２００は、給紙ユニットＲ１から折ユニットＦ１までのウェブパスルートに沿って付設されるガイドレール２０１と、このガイドレール２０１に沿って移動自在な走行体２０２（図５参照）と、この走行体２０２を駆動する複数の駆動装置２０３とを有している。
【００６３】
ガイドレール２０１は、給紙ユニットＲ１の給紙位置にある巻取紙の近傍に始端部（入口）２０１ａが配置され、この始端部２０１ａからインフィードユニットＩ１を介して印刷ユニットＵ１まで第１ガイドレール２０１ｂが配置されている。この第１ガイドレール２０１ｂの終端位置に仕立準備完了位置走行体停止センサ６４が設けられている。また、ガイドレール２０１は、印刷ユニットＵ１の出口から連続してウェブパスユニットＤ１におけるスリッタＤ１１まで第２ガイドレール２０１ｃが配置されている。更に、ガイドレール２０１は、スリッタＤ１１から折ユニットＦ１まで２個の第３ガイドレール２０１ｄが配置されている。即ち、給紙ユニットＲ１から送られたウェブＷは、インフィードユニットＩ１及び印刷ユニットＵ１を通ってウェブパスユニットＤ１に至り、スリッタＤ１１で縦裁断された後、ターンバーＤ１２により２個のウェブパスルートに分岐して折ユニットＦ１に送られて重ねられる。
【００６４】
また、ガイドレール２０１は、２個の第３ガイドレール２０１ｄが、折ユニットＦ１の直前で合流され、１個の第４ガイドレール２０１ｅとなる。そして、ガイドレール２０１は、折ユニットＦ１の下流側に下流端（出口）２０１ｆが配置される。
【００６５】
このガイドレール２０１にて、給紙ユニットＲ１からウェブパスユニットＤ１のスリッタＤ１１までの第１、第２ガイドレール２０１ｂ，２０１ｃは、ウェブパスルートの両側にそれぞれ配置され、ウェブパスユニットＤ１のスリッタＤ１１から折ユニットＦ１までの第３ガイドレール２０１ｄと折ユニットＦ１の第４ガイドレール２０１ｅは、ウェブパスルートの一側に配置されている。
【００６６】
走行体２０２は、図５に示すように、可撓性を有する帯状のプレート部材２０２ａであり、ガイドレール２０１から外れずに移動できるように、ガイドピン２０２ｂが長手方向に所定間隔で複数設けられている。また、走行体２０２は、中間部が幅広となるように一方側に突出する突出部２０２ｃが設けられており、この突出部２０２ｃにウェブＷの先端部と連接するための後述する紐２１３，２１４（図７参照）を結合する連結孔２０２ｄが形成されている。
【００６７】
この走行体２０２は、紙通し作業前に、給紙ユニットＲ１のガイドレール２０１の始端部２０１ａから挿入され、紙通し作業後に、折ユニットＦ１の下流端２０１ｆから排出される。また、走行体２０２は、ガイドレール２０１内を移動するとき、突出部２０２ｃ（連結孔２０２ｄ）がウェブＷ側を向き、ガイドレール２０１の切欠（図示略）からウェブＷ側に突出している。
【００６８】
駆動装置２０３は、図６に示すように、駆動モータ２０３ａ（紙通し用走行体モータ６１）と、この駆動モータ２０３ａにより駆動回転される一対の駆動ローラ２０３ｂ，２０３ｃを有している。そして、この駆動ローラ２０３ｂ，２０３ｃは、ガイドレール２０１内の走行体２０２の上下両面を挟み込みながら同期して逆方向に回転することで、走行体２０２を駆動してガイドレール２０１に沿って移動することができる。なお、ガイドレール２０１は、駆動ローラ２０３ｂ，２０３ｃが設けられている位置に開口（図示略）が形成されている。
【００６９】
この駆動装置２０３は、ガイドレール２０１の長手方向に沿って所定間隔で複数配置されており、駆動装置２０３の配置間隔は、走行体２０２の長さよりも短い間隔となっている。そのため、ガイドレール２０１に沿って所定間隔で配置された複数の駆動装置２０３は、少なくとも１個が必ずガイドレール２０１内の走行体２０２を挟持して駆動可能となっている。
【００７０】
上述した紙通し装置２００によりウェブＷの紙通し作業を実施する前に、ウェブＷの先端部に走行体２０２を連結する仕立て作業を実施する。即ち、図７に示すように、給紙ユニットＲ１から繰り出されたウェブＷは、ガイドローラ２１０により案内された後、インフィードローラにより搬送される。そのため、ガイドレール２０１（第２ガイドレール２０１ｃ）は、ガイドローラ２１０に案内されるウェブＷの走行経路（紙通し経路）の両側に沿って配置されている。ウェブＷの仕立処理とは、給紙ユニットＲ１から繰り出されたウェブＷの先端部に、紙通しを行うための２個の案内部材２１１，２１２を固定するものであり、各案内部材２１１，２１２は、連結部材としての紐２１３，２１４により左右の走行体２０２に連結される。
【００７１】
ウェブＷが連結された走行体２０２は、印刷ユニットＵ１の手前の仕立準備完了位置まで導入されると、仕立準備完了位置走行体検出センサ６４が走行体２０２を検出し、走行体２０２と共にウェブＷが停止することで仕立作業が完了する。そのため、作業者は、この状態から紙通しするウェブＷの選択が可能となる。
【００７２】
その後、駆動装置２０３により走行体２０２をガイドレール２０１に沿って走行させると、走行体２０２に紐２１３，２１４及び案内部材２１１，２１２を介して連結されたウェブＷがガイドレール２０１に沿って牽引され、給紙ユニットＲ１から折ユニットＦ１まで紙通しが行われる。
【００７３】
また、紙通し装置２００は、ウェブＷの紙通し経路に紙通し異常検出装置が設けられている。図８は、紙通し装置におけるウェブＷの断紙を検出する紙通し異常検出装置を表す概略図である。
【００７４】
図８に記すように、インフィードユニットＩ１は、インフィードローラ２２１、フローティングローラ２２２、ガイドローラ２２３、テンションピックアップローラ２２４、ガイドローラ２２５を有している。インフィードローラ２２１は、主機モータにより駆動回転可能であって、ウェブＷを走行させることができる。フローティングローラ２２２は、ウェブＷにおける急激なテンションの変動を吸収すると共に、ローラの角度変位を検出してブレーキ力を制御する。テンションピックアップローラ２２４は、テンション値の変位を電気信号として取り出し、予め設定したテンションに保つようにブレーキ力を制御する。
【００７５】
紙通し異常としては、ウェブＷの断紙、走行体の詰まり、走行体の滑り、走行体駆動装置の故障などがある。ウェブＷの断紙における紙通し異常検出装置は、フローティングローラ２２２とテンションピックアップローラ２２４を適用して機能する。即ち、紙通し時に断紙すると、ウェブＷのテンションが急激に低下することから、フローティングローラ２２２の角度変位、または、テンションピックアップローラ２２４によるテンション値の変位が予め設定された所定値より低下すると、ウェブＷの断紙を検出する。
【００７６】
なお、ウェブＷの断紙における紙通し異常検出装置の装着位置としては、インフィード装置Ｉに限らず、印刷装置Ｕ、ウェブパス装置Ｄ、折機Ｆなどに配置してもよい。また、検出器としては、接触式センサだけでなく、レーザセンサ、距離センサ、超音波センサ、近接センサ、受光センサ、反射式センサなどの非接触式センサを適用してもよい。
【００７７】
走行体の異常を検出する紙通し異常検出装置は、仕立準備完了位置走行体停止センサ６４、スリッタ走行体検出センサ６２、折機走行体検出センサ６３を適用して機能する。即ち、走行体に異常があると、走行体が紙通しの途中で速度低下するか停止することから、予め、仕立準備完了位置からスリッタ手前までの区間、及びスリッタ手前から折機までの区間について、ウェブＷ（走行体２０２）の速度とウェブ長からそれぞれの区間の所要時間を演算しておく。そして、それら区間での紙通し時間が予め設定した所定時間（所要時間に余裕を持たせた時間）をタイムオーバーしたら紙通しが正常に行われていないことを検出する。具体的には、仕立準備完了位置走行体停止センサ６４がウェブＷ（走行体２０２）走行開始を検出してからスリッタ走行体検出センサ６２がウェブＷ（走行体２０２）の到着を検出するまでの時間、及びスリッタ走行体検出センサ６２がウェブＷ（走行体２０２）の走行開始を検出してから折機走行体検出センサ６３がウェブＷ（走行体２０２）の到着を検出するまでの時間が紙通し時間である。
【００７８】
上述した説明では、給紙ユニットＲ１、インフィードユニットＩ１、印刷ユニットＵ１、ウェブパスユニットＤ１、折ユニットＦ１に対する紙通し装置２００について説明したが、他の給紙ユニットＲ２，Ｒ３，Ｒ４，Ｒ５、インフィードユニットＩ２，Ｉ３，Ｉ４，Ｉ５、印刷ユニットＵ２，Ｕ３，Ｕ４，Ｕ５、折ユニットＦ２に対しても、ほぼ同様の紙通し装置が設けられている。
【００７９】
本実施形態の印刷機Ｐは、給紙装置Ｒとインフィード装置Ｉと印刷装置Ｕが複数組（本実施形態では、５組）のユニットを有していることから、給紙装置Ｒからウェブパス装置ＤまでにウェブＷにおける５個の紙通し経路（走行経路）が設定されている。そして、ウェブパス装置ＤのスリッタＤ１１によりウェブＷが縦裁断されることから、ウェブパス装置Ｄから折機ＦまでにウェブＷにおける１０個の紙通し経路（走行経路）が設定されている。本実施例では、このウェブＷにおける５個の紙通し経路に対する紙通し作業を同時に実施可能としている。
【００８０】
即ち、印刷機Ｐは、複数の給紙ユニットＲ１，Ｒ２，Ｒ３，Ｒ４，Ｒ５のうちの１つの給紙ユニット（例えば、給紙ユニットＲ５）から繰り出されたウェブＷを折機Ｆに通すと共に、残りの複数の給紙ユニット（例えば、給紙ユニットＲ１，Ｒ２，Ｒ３，Ｒ４）から繰り出された複数のウェブＷをスリッタＤ１１の手前に通す第１紙通しモードと、スリッタＤ１１の手前に到達した複数のウェブＷを折機Ｆに順次通す第２紙通しモードとが設けられている。
【００８１】
この場合、複数の給紙ユニットＲ１，Ｒ２，Ｒ３，Ｒ４，Ｒ５のうち、ウェブＷを折機Ｆまで通す給紙ユニット（紙通し経路）をどれにするかは、印刷する新聞の形態に応じて適宜設定することができる。但し、ウェブＷを折機Ｆまで通す給紙ユニット（紙通し経路）は、複数の給紙ユニットＲ１，Ｒ２，Ｒ３，Ｒ４，Ｒ５から折機Ｆ（スリッタＤ１１）までの紙通し経路が最も短い紙通し経路に設定することが望ましい。
【００８２】
本実施形態の紙通し装置２００は、制御装置としての主幹盤１８により駆動制御可能となっている。主幹盤１８は、給紙装置Ｒとインフィード装置Ｉと印刷装置Ｕとウェブパス装置Ｄを同期して駆動することで、複数の給紙ユニットＲ１，Ｒ２，Ｒ３，Ｒ４，Ｒ５のうちの１つの給紙ユニットから繰り出されたウェブＷを折機Ｆに通すと共に、複数の給紙ユニットＲ１，Ｒ２，Ｒ３，Ｒ４，Ｒ５のうちの残りの複数の給紙ユニットから繰り出された複数のウェブＷをスリッタＤ１１の手前に通す第１紙通しモードと、スリッタＤ１１の手前に到達した複数のウェブＷを折機Ｆに順次通す第２紙通しモードを有している。
【００８３】
また、主幹盤１８は、給紙装置Ｒとインフィード装置Ｉとウェブパス装置Ｄの同期駆動に対して印刷ユニットＵ１，Ｕ２，Ｕ３，Ｕ４，Ｕ５及び各印刷ユニットＵ１，Ｕ２，Ｕ３，Ｕ４，Ｕ５に関連するインフィードユニットＩ１，Ｉ２，Ｉ３，Ｉ４，Ｉ５などのモータを単独駆動可能とする紙通し用単独駆動指令モード１２３と、印刷装置Ｕの各印刷ユニットＵ１，Ｕ２，Ｕ３，Ｕ４，Ｕ５を単独で駆動可能とする版替え用単独駆動指令モード（印刷単独駆動指令モード）１２４を有している。
【００８４】
そして、主幹盤１８は、第１紙通しモード（紙通し用単独駆動指令モード１２３）の実行時に、ウェブＷが折機Ｆに到達した紙通し経路にある印刷ユニットＵ１，Ｕ２，Ｕ３，Ｕ４，Ｕ５またはウェブＷがスリッタＤ１１の手前に到達した紙通し経路にある印刷ユニットＵ１，Ｕ２，Ｕ３，Ｕ４，Ｕ５の同期駆動を解除し、版替え用単独駆動指令モード１２４を実行する。また、主幹盤１８は、第１紙通しモード（紙通し用単独駆動指令モード１２３）の完了後に、版交換作業が終了すると、紙通し用単独駆動指令モード１２３で第２紙通しモードを実行する。
【００８５】
なお、スリッタＤ１１の手前に到達した複数のウェブＷを折機Ｆに通す順序は、印刷する新聞の形態や作業者の好みなどに応じて適宜設定することができる。図９は、紙通し順序を説明するための概略図である。図９に示すように、折機Ｆで重ねられるウェブＷの順序は、例えば、カラー面のページ位置など新聞の形態に応じて設定されている。ここでは、ウェブＷがスリッタＤ１１により縦裁断されることから、１０枚のウェブＷ１ａ，Ｗ１ｂ，Ｗ２ａ，Ｗ２ｂ，Ｗ３ａ，Ｗ３ｂ，Ｗ４ａ，Ｗ４ｂ，Ｗ５ａ，Ｗ５ｂが所定の順序で重ねられる。この重ね順序は、ウェブパス装置ＤのターンバーＤ１２により実施される。この場合、ウェブＷの重ね順序が、下からウェブＷ５ａ，Ｗ４ａ，Ｗ１ａ，Ｗ１ｂ，Ｗ２ａ，Ｗ２ｂ，Ｗ３ａ，Ｗ３ｂ，Ｗ４ｂ，Ｗ５ｂに設定されるとき、スリッタＤ１１の手前に到達した複数のウェブＷをどの順序で折機Ｆに通すかは、作業者により適宜設定することができる。例えば、折機Ｆでの重ね順序が下側に位置するウェブＷから順に通したり、折機Ｆでの重ね順序が上側に位置するウェブＷから順に通したり、あるいは、所定のウェブＷから通したりすることができる。作業者は、紙通しパネル５２を用いてウェブＷを折機Ｆに通す順序設定する。
【００８６】
以下、本実施形態の印刷機Ｐにおける紙通し作業について説明する。図１０は、紙通し作業を表すフローチャート、図１１は、同時紙通し開始処理を表すフローチャート、図１２は、ウェブのスリッタ到着処理を表すフローチャート、図１３は、ウェブの折機到着処理を表すフローチャート、図１４は、残りのウェブの折機到着処理を表すフローチャート、図１５は、版交換を実施する場合のウェブのスリッタ到着処理を表すフローチャートである。
【００８７】
本実施形態の印刷機Ｐにおける紙通し作業において、図１０に示すように、ステップＳ１１にて、まず、同時紙通し開始処理を実行する。この同時紙通し開始処理において、図２及び図３、図１１に示すように、ステップＳ２１にて、仕立準備完了位置走行体検出センサ６４が紙通し経路Ｌ１，Ｌ２，Ｌ３，Ｌ４．Ｌ５の走行体２０２を全て検出したかどうかを判定する。ここで、仕立準備完了位置走行体検出センサ６４が紙通し経路Ｌ１，Ｌ２，Ｌ３，Ｌ４，Ｌ５の走行体２０２を全て検出しないと判定（Ｎｏ）すると、ステップＳ２１の処理を継続して行う。一方、仕立準備完了位置走行体検出センサ６４が紙通し経路Ｌ１，Ｌ２，Ｌ３，Ｌ４，Ｌ５の走行体２０２を全て検出したと判定（Ｙｅｓ）すると、ステップＳ２２にて、作業者は、紙通しパネル５２により折機ＦまでウェブＷを通す折機紙通し経路を給紙ユニットＲ５からウェブＷが給紙される紙通し経路Ｌ５に設定すると共に、スリッタＤ１１までウェブＷを通す同時紙通し経路を給紙ユニットＲ１，Ｒ２，Ｒ３，Ｒ４からウェブＷが給紙される紙通し経路Ｌ１，Ｌ２，Ｌ３，Ｌ４に設定する。即ち、作業者は、印刷ユニットＵ１，Ｕ２，Ｕ３，Ｕ４，Ｕ５の手前の仕立準備完了位置まで導入されたウェブＷにつき、給紙ユニットＲ１，Ｒ２，Ｒ３，Ｒ４，Ｒ５からウェブＷが給紙される紙通し経路Ｌ１，Ｌ２，Ｌ３，Ｌ４，Ｌ５に対応する自動選択スイッチ５２ｆ，５２ｇ，５２ｈ，５２ｉ，５２ｊをＯＮとし、選択スイッチ５２ａ，５２ｂ，５２ｃ，５２ｄ，５２ｅのうち、選択スイッチ５２ａ，５２ｂ，５２ｃ，５２ｄをスリッタ止まりとし、選択スイッチ５２ｅを折機止まりとする。
【００８８】
すると、紙通しパネル５２からの指令が主幹盤１８に入力され、ステップＳ２３にて、自動紙通し経路に設定された紙通し経路Ｌ１，Ｌ２，Ｌ３，Ｌ４，Ｌ５に対応する印刷ユニットＵ１，Ｕ２，Ｕ３，Ｕ４，Ｕ５の印刷ユニットモータ７２，７３，７４，７５をＶＭ指令１２２から紙通し用単独駆動指令モード１２３に切替えられる。続いて、ステップＳ２３にて、作業者は、ウェブ運転パネル５１の紙通しスイッチ５１ｂを操作し、印刷機Ｐの運転操作を行い、紙通し作業を開始する。すると、ウェブ運転パネル５１からの指令が主幹盤１８に入力され、ＶＭ指令１２２に接続された印刷ユニットＵ１，Ｕ２，Ｕ３，Ｕ４，Ｕ５に関連するインフィードモータ７１、印刷ユニットモータ７２，７３，７４，７５、出口モータ７６がこのＶＭ指令１２２に基づいて駆動回転する。このとき、印刷ユニットＵ１，Ｕ２，Ｕ３，Ｕ４，Ｕ５の印刷ユニットモータ７２，７３，７４，７５は、紙通し用単独駆動指令モード１２３に接続されているものの、ＶＭ指令１２２に連動して駆動する。
【００８９】
そのため、図４に示すように、紙通し装置２００により、走行体２０２がガイドレール２０１に沿って移動することで、各給紙ユニットＲ１，Ｒ２，Ｒ３，Ｒ４，Ｒ５からウェブＷが繰出され、各印刷ユニットＵ１，Ｕ２，Ｕ３，Ｕ４，Ｕ５を通ってウェブパスユニットＤ１へ送られる。なお、この場合の紙通し速度は、７ｒｐｍ〜２４ｒｐｍの間で調整可能となっている。紙通経路の複雑な箇所（例えば、給紙装置から仕立準備完了位置（紙通しの待機位置）まで）は、７ｒｐｍの低速とし、ウェブＷに弛みが生じたときや増速操作を行うときには、２４ｒｐｍに増速する。紙切れが生じにくい安定した紙通し速度としては、１４ｒｐｍが好適である。
【００９０】
図１０に戻り、ステップＳ１２にて、紙通し経路Ｌ１，Ｌ２，Ｌ３，Ｌ４を走行するウェブＷがスリッタＤ１１の手前まで到達したかどうかを判定する。スリッタ走行体検出センサ６２は、各紙通し経路Ｌ１，Ｌ２，Ｌ３，Ｌ４におけるスリッタＤ１１の手前に配置されており、スリッタ走行体検出センサ６２が走行体２０２を検出すると、検出信号を主幹盤１８に出力する。主幹盤１８は、スリッタ走行体検出センサ６２から走行体２０２の検出信号が入力する（Ｙｅｓ）と、ステップＳ１３にて、紙通し経路Ｌ１，Ｌ２，Ｌ３，Ｌ４のウェブＷのスリッタＤ１１における到着処理を実行する。
【００９１】
図２及び図３、図１２に示すように、ステップＳ３１にて、スリッタ走行体検出センサ６２が紙通し経路Ｌ１，Ｌ２，Ｌ３，Ｌ４の走行体２０２を検出したかどうかを判定する。ここで、スリッタ走行体検出センサ６２が紙通し経路Ｌ１，Ｌ２，Ｌ３，Ｌ４の走行体２０２を検出しないと判定（Ｎｏ）すると、ステップＳ３１の処理を継続して行う。一方、スリッタ走行体検出センサ６２が紙通し経路Ｌ１，Ｌ２，Ｌ３，Ｌ４の走行体２０２を検出したと判定（Ｙｅｓ）すると、ステップＳ３２にて、スリッタ走行体検出センサ６２が検出した走行体２０２の紙通し経路Ｌ１，Ｌ２，Ｌ３，Ｌ４を特定し、特定した紙通し経路Ｌ１，Ｌ２，Ｌ３，Ｌ４では、ウェブＷがスリッタＤ１１の手前に到達したとして紙通し用走行体モータ６１の駆動を停止する。
【００９２】
ここで、ウェブＷがスリッタＤ１１の手前に到達した紙通し経路Ｌ１，Ｌ２，Ｌ３，Ｌ４に対してランプが点灯（または、点滅）して作業者に知らされる。ステップＳ３３にて、作業者は、紙通しパネル５２により、ウェブＷがスリッタＤ１１の手前に到達してランプが点灯している紙通し経路Ｌ１，Ｌ２，Ｌ３，Ｌ４の同時紙通し経路の選択を解除（ＯＦＦ）する。即ち、作業者は、ウェブＷがスリッタＤ１１の手前に到達した紙通し経路Ｌ１，Ｌ２，Ｌ３，Ｌ４に対応する選択スイッチ５２ａ，５２ｂ，５２ｃ，５２ｄ及び自動選択スイッチ５２ｆ，５２ｇ，５２ｈ，５２ｉ，５２ｊをＯＦＦにする。
【００９３】
すると、ステップＳ３４にて、主幹盤１８は、ウェブＷがスリッタＤ１１の手前に到達した紙通し経路Ｌ１，Ｌ２，Ｌ３，Ｌ４に対応する印刷ユニットＵ１，Ｕ２，Ｕ３，Ｕ４の印刷ユニットモータ７２，７３，７４，７５を紙通し用単独駆動指令モード１２３により停止する。また、ステップＳ３５にて、主幹盤１８は、停止する印刷ユニットＵ１，Ｕ２，Ｕ３，Ｕ４に関連するインフィードモータ７１及び出口モータ７６の駆動を停止する。なお、スリッタ走行体検出センサ６２が紙通し経路Ｌ１，Ｌ２，Ｌ３，Ｌ４の走行体２０２を検出すると、紙通し経路Ｌ１，Ｌ２，Ｌ３，Ｌ４に対応する選択スイッチ５２ａ，５２ｂ，５２ｃ，５２ｄ及び自動選択スイッチ５２ｆ，５２ｇ，５２ｈ，５２ｉ，５２ｊを自動的にＯＦＦにするように構成してもよい。
【００９４】
すると、ステップＳ３６にて、ウェブＷがスリッタＤ１１の手前に到達した紙通し経路Ｌ１，Ｌ２，Ｌ３，Ｌ４に対応する印刷ユニットＵ１，Ｕ２，Ｕ３，Ｕ４が停止する。但し、ステップＳ３７にて、ウェブＷが折機Ｆに到達していない紙通し経路Ｌ５に対応する印刷ユニットＵ５は継続して運転される。
【００９５】
なお、紙通し経路Ｌ１，Ｌ２，Ｌ３，Ｌ４は、その長さが相違することから、短い紙通し経路Ｌ１，Ｌ２，Ｌ３，Ｌ４から順にウェブＷがスリッタＤ１１の手前に到達し、印刷ユニットＵ１，Ｕ２，Ｕ３，Ｕ４が順に停止していく。
【００９６】
図１０に戻り、ステップＳ１２にて、スリッタ走行体検出センサ６２が走行体２０２を検出せず、（Ｎｏ）または、ステップＳ１３にて、紙通し経路Ｌ１，Ｌ２，Ｌ３，Ｌ４のウェブＷのスリッタにおける到着処理が完了すると、ステップＳ１４にて、紙通し経路Ｌ５を走行するウェブＷが折機Ｆまで到達したかどうかを判定する。折機走行体検出センサ６３は、各紙通し経路Ｌ５における折機Ｆに配置されており、折機走行体検出センサ６３が走行体２０２を検出すると、検出信号を主幹盤１８に出力する。主幹盤１８は、折機走行体検出センサ６３から走行体２０２の検出信号が入力する（Ｙｅｓ）と、ステップＳ１５にて、紙通し経路Ｌ５のウェブＷの折機Ｆにおける到着処理を実行する。一方、主幹盤１８は、折機走行体検出センサ６３から走行体２０２の検出信号が入力しない（Ｎｏ）と、ステップＳ１２〜Ｓ１４の処理を繰り返し実行する。
【００９７】
図２及び図３、図１３に示すように、ステップＳ４１にて、折機走行体検出センサ６３が紙通し経路Ｌ５の走行体２０２を検出したかどうかを判定する。ここで、折機走行体検出センサ６３が紙通し経路Ｌ５の走行体２０２を検出しないと判定（Ｎｏ）すると、ステップＳ４１の処理を継続して行う。一方、折機走行体検出センサ６３が紙通し経路Ｌ５の走行体２０２を検出したと判定（Ｙｅｓ）すると、ステップＳ４２にて、折機走行体検出センサ６３が検出した走行体２０２の紙通し経路Ｌ５では、ウェブＷが折機Ｆに到達したとして紙通し用走行体モータ６１の駆動を停止する。
【００９８】
ここで、ウェブＷが折機Ｆに到達した紙通し経路Ｌ５に対してランプが点灯（または、点滅）して作業者に知らされる。ステップＳ４３にて、作業者は、紙通しパネル５２により、ウェブＷが折機Ｆに到達してランプが点灯している紙通し経路Ｌ５の折機紙通し経路の選択を解除（ＯＦＦ）する。即ち、作業者は、ウェブＷが折機Ｆに到達した紙通し経路Ｌ５に対応する選択スイッチ５２ｅ及び自動選択スイッチ５２ｋをＯＦＦにする。
【００９９】
すると、ステップＳ４４にて、主幹盤１８は、ウェブＷが折機Ｆに到達した紙通し経路Ｌ５に対応する印刷ユニットＵ５の印刷ユニットモータ７２，７３，７４，７５を紙通し用単独駆動指令モード１２３により停止する。また、ステップＳ４５にて、主幹盤１８は、停止する印刷ユニットＵ５に関連するインフィードモータ７１及び出口モータ７６の駆動を停止する。なお、折機走行体検出センサ６３が紙通し経路Ｌ５の走行体２０２を検出すると、紙通し経路Ｌ５に対応する選択スイッチ５２ｅ及び自動選択スイッチ５２ｋを自動的にＯＦＦにするように構成してもよい。
【０１００】
すると、ステップＳ４６にて、ウェブＷが折機Ｆに到達したら、ウェブパスモータ及び折機Ｆが停止する。そして、ステップＳ４７にて、印刷機Ｐ全体が停止する。なお、ウェブＷが折機Ｆに到達した紙通し経路Ｌ５にて、ウェブＷに結合された走行体２０２は、折機走行体検出センサ６３により検出されて停止している。ここで、作業者は、ウェブＷと走行体２０２との結合を解除し、図示しない走行体排出用駆動装置により走行体２０２だけを第４ガイドレール２０１ｅに沿って移動し、下流端２０１ｆから外部に排出する。
【０１０１】
図１０に戻り、ステップＳ１５にて、紙通し経路Ｌ５のウェブＷの折機Ｆにおける到着処理が完了すると、ステップＳ１６にて、折機Ｆまで紙通しが完了していない紙通し経路があるかどうかを判定する。ここで、折機Ｆまで紙通しが完了していない紙通し経路があると判定（Ｙｅｓ）されると、ステップＳ１７にて、折機Ｆまで紙通しが完了していない紙通し経路Ｌ１，Ｌ２，Ｌ３，Ｌ４に対する紙通し処理を実行する。
【０１０２】
図２及び図３、図１４に示すように、紙通し経路Ｌ１，Ｌ２，Ｌ３，Ｌ４に対する紙通し処理において、ステップＳ５１にて、作業者は、紙通しパネル５２によりスリッタＤ１１から折機ＬまでウェブＷを通す折機紙通し経路を紙通し経路Ｌ１，Ｌ２，Ｌ３，Ｌ４に設定する。即ち、作業者は、ウェブＷが折機Ｆまで紙通しする紙通し経路Ｌ１，Ｌ２，Ｌ３，Ｌ４に対応する選択スイッチ５２ａ，５２ｂ，５２ｃ，５２ｄを選択する。すると、紙通しパネル５２からの指令が主幹盤１８に入力され、ステップＳ５２にて、折機紙通し経路に設定された紙通し経路Ｌ１，Ｌ２，Ｌ３，Ｌ４に対応する印刷ユニットＵ１，Ｕ２，Ｕ３，Ｕ４の印刷ユニットモータ７２，７３，７４，７５をＶＭ指令１２２から紙通し用単独駆動指令モード１２３に切替えられる。続いて、ステップＳ５３にて、作業者は、ウェブ運転パネル５１の紙通しスイッチ５１ｂを操作し、印刷機Ｐの運転操作を行い、紙通し作業を開始する。すると、ウェブ運転パネル５１からの指令が主幹盤１８に入力され、ＶＭ指令１２２に接続された印刷ユニットＵ１，Ｕ２，Ｕ３，Ｕ４に関連するインフィードモータ７１、印刷ユニットモータ７２，７３，７４，７５、出口モータ７６がこのＶＭ指令１２２に基づいて駆動回転する。このとき、印刷ユニットＵ１，Ｕ２，Ｕ３，Ｕ４の印刷ユニットモータ７２，７３，７４，７５は、紙通し用単独駆動指令モード１２３に接続されているものの、ＶＭ指令１２２に連動して駆動する。
【０１０３】
そのため、紙通し装置２００（図４参照）により、走行体２０２がガイドレール２０１に沿って移動することで、スリッタＤ１１の手前まで通されたウェブＷが走行を開始し、折機Ｆまで通される。そして、折機走行体検出センサ６３が紙通し経路Ｌ１，Ｌ２，Ｌ３，Ｌ４の走行体２０２を検出すると、折機走行体検出センサ６３が検出した走行体２０２の紙通し経路Ｌ１，Ｌ２，Ｌ３，Ｌ４では、ウェブＷが折機Ｆに到達したとして紙通し用走行体モータ６１の駆動を停止する。
【０１０４】
この場合、スリッタＤ１１までウェブＷが到達している紙通し経路Ｌ１，Ｌ２，Ｌ３，Ｌ４では、各紙通し経路Ｌ１，Ｌ２，Ｌ３，Ｌ４ごとに順番に折機Ｆまでの紙通し作業を実施する。即ち、作業者は、紙通しパネル５２を用いてウェブＷを折機Ｆに通す順序設定する。例えば、下紙順選択、上紙順選択、自動順選択ボタンを設け、作業者が選択可能となっている。
【０１０５】
即ち、紙通し経路Ｌ１，Ｌ２，Ｌ３，Ｌ４の順でウェブＷを折機Ｆまで移動する紙通し作業を実施するとき、作業者がウェブ運転パネル５１によりスリッタＤ１１から折機Ｆまでの紙通し作業が開始されると、まず、紙通し経路Ｌ１のウェブＷ（走行体２０２）が折機Ｆまでの移動を開始する。そして、紙通し経路Ｌ１にて、ウェブＷに結合された走行体２０２が折機Ｆの手前まで移動して折機走行体検出センサ６３により検出されると、紙通し用走行体モータ６１による走行体２０２の駆動が停止される。そして、紙通し経路Ｌ１にて、ウェブＷが折機Ｆの手前まで移動して走行体２０２の駆動が停止されると、次に、紙通し経路Ｌ２のウェブＷ（走行体２０２）が折機Ｆまでの移動を開始する。このようにして紙通し経路Ｌ１，Ｌ２，Ｌ３，Ｌ４の各ウェブＷが折機Ｆまで移動する。
【０１０６】
但し、ウェブＷは、走行体２０２が結合されており、先に折機Ｆの手前まで移動して停止している走行体２０２が邪魔となり、次に、走行体が折機Ｆの手前まで移動できないことがある。そのため、紙通し経路Ｌ１にて、ウェブＷに結合された走行体２０２が折機Ｆの手前まで移動して折機走行体検出センサ６３により検出されると、紙通し用走行体モータ６１による走行体２０２の駆動が停止される。ここで、作業者は、紙通し経路Ｌ１にて、ウェブＷと走行体２０２との結合を解除し、走行体排出用駆動装置により走行体２０２だけをガイドレール２０１の下流端２０１ｆから外部に排出する。走行体２０２が移動して外部に排出されると、折機走行体検出センサ６３が走行体２０２を検出しなくなり、この折機走行体検出センサ６３の検出信号に基づいて、次の紙通し経路Ｌ２のウェブＷ（走行体２０２）が折機Ｆまでの移動を開始する。このようにして紙通し経路Ｌ１，Ｌ２，Ｌ３，Ｌ４の各ウェブＷが折機Ｆまで移動する。
【０１０７】
図１０に戻り、ステップＳ１６にて、折機Ｆまで紙通しが完了していない紙通し経路がないと判定（Ｎｏ）されると、印刷機Ｐの紙通し作業が終了する。
【０１０８】
ところで、給紙ユニットＲ５から紙通し経路Ｌ５を経て折機Ｌまで紙通しを行うと同時に、給紙ユニットＲ１，Ｒ２，Ｒ３，Ｒ４から紙通し経路Ｌ１，Ｌ２，Ｌ３，Ｌ４を経てスリッタＤ１１まで紙通しを行うとき、ウェブＷは、経路の短い給紙ユニットＲ１，Ｒ２，Ｒ３，Ｒ４，Ｌ５から順にスリッタＤ１１の手前または折機Ｆに到達して停止する。このとき、走行が停止した給紙ユニットＲ１，Ｒ２，Ｒ３，Ｒ４，Ｒ５に対応する印刷ユニットＵ１，Ｕ２，Ｕ３，Ｕ４，Ｕ５に対して版交換を実施することができる。
【０１０９】
図１５に示すように、ステップＳ６１〜Ｓ６７の処理は、図１２のステップＳ３１〜Ｓ３７の処理と同様であり、ステップＳ６７までに、例えば、経路長さの短い紙通し経路Ｌ１のウェブＷがスリッタＤ１１の手前に到達して停止すると、ステップＳ６８にて、スリッタＤ１１の手前に到達して停止した紙通し経路Ｌ１に対応する印刷ユニットＵ１と折機Ｆとの連結を解除する。具体的には、作業者が各印刷機ユニット運転パネル５４，５５，５６，５７，５８を操作し、連結解除信号を折機に送り、印刷ユニットＵ１，Ｕ２，Ｕ３，Ｕ４，Ｕ５と折機Ｆとの連結を解除する。または、スリッタ走行体検出センサ６２、折機走行体検出センサ６３が走行体２０２を検出し、ウェブＷがスリッタＤ１１の手前や折機Ｆに到達したことを検知すると、自動的に連結解除信号が主幹盤１８から折機Ｆに送信され、印刷ユニットＵ１，Ｕ２，Ｕ３，Ｕ４，Ｕ５と折機Ｆとの連結を解除する。
【０１１０】
続いて、ステップＳ６９にて、主幹盤１８は、ウェブＷがスリッタＤ１１の手前に到達した紙通し経路Ｌ１に対応する印刷ユニットＵ１の印刷ユニットモータ７２，７３，７４，７５を紙通し用単独駆動指令モード１２３から版替え用単独駆動指令モード１２４に切替える。そのため、ステップＳ７０にて、印刷ユニットＵ１の印刷ユニットモータ７２，７３，７４，７５は、各印刷機ユニット運転パネル５４，５５，５６，５７，５８により版胴やブランケット胴を単独で回転可能となり、版交換作業を実施することができる。
【０１１１】
ステップＳ７１にて、版交換作業を実施する版胴またはスタックを選択し、ステップＳ７２にて、版交換作業を実施する。この版交換作業は、ウェブＷがスリッタＤ１１の手前に到達した紙通し経路Ｌ１，Ｌ２，Ｌ３，Ｌ４に対応する印刷ユニットＵ１，Ｕ２，Ｕ３，Ｕ４の順に実施される。ウェブＷが折機Ｆに到達した紙通し経路Ｌ５に対応する印刷ユニットＵ５の版交換作業は、最後に実施してもよいし、印刷ユニットＵ１，Ｕ２，Ｕ３，Ｕ４の版交換作業の間に、ウェブＷが折機Ｆに到達した場合、このウェブＷが折機Ｆに到達した紙通し経路Ｌ５に対応する印刷ユニットＵ５の版交換作業を割り込んで実施してもよい。なお、この場合の版胴の回転速度は、４．３３ｒｐｍである。その後、ステップＳ７４にて、各印刷機ユニット運転パネル５４，５５，５６，５７，５８を操作し、印刷ユニットＵ１の印刷ユニットモータ７２，７３，７４，７５を版替え用単独駆動指令モード１２４からＶＭ指令モード１２２に切替える。
【０１１２】
そして、全ての印刷ユニットＵ１，Ｕ２，Ｕ３，Ｕ４の版交換作業が完了すると、図１４に示すように、ステップＳ５１，Ｓ５２，Ｓ５３の処理が実施される。
【０１１３】
なお、上述の実施形態では、ステップＳ２１にて、仕立準備完了位置走行体検出センサ６４が紙通し経路Ｌ１，Ｌ２，Ｌ３，Ｌ４，Ｌ５の走行体２０２を全て検出したと判定すると、折機ＦまでウェブＷを通す折機紙通し経路とスリッタＤ１１までウェブＷを通す同時紙通し経路を設定し、紙通し作業を開始するように構成したが、この構成に限定されるものではない。図１６は、同時紙通し開始処理の変形例を表すフローチャートである。
【０１１４】
本変形例は、仕立準備が完了した紙通し経路から順次(段階的に)紙通しするものである。作業者は、紙通しパネル５２を用いて、始めに紙通しする紙通し経路の数（所定数）を事前に設定することができる。
【０１１５】
図２及び図３、図１６に示すように、ステップＳ７１にて、作業者は、紙通しパネル５２により折機ＦまでウェブＷを通す折機紙通し経路を給紙ユニットＲ５からウェブＷが給紙される紙通し経路Ｌ５に設定すると共に、スリッタＤ１１までウェブＷを通す同時紙通し経路を給紙ユニットＲ１，Ｒ２，Ｒ３，Ｒ４からウェブＷが給紙される紙通し経路Ｌ１，Ｌ２，Ｌ３，Ｌ４に設定する。すると、紙通しパネル５２からの指令が主幹盤１８に入力され、自動紙通し経路に設定された紙通し経路Ｌ１，Ｌ２，Ｌ３，Ｌ４，Ｌ５に対応する印刷ユニットＵ１，Ｕ２，Ｕ３，Ｕ４，Ｕ５の印刷ユニットモータ７２，７３，７４，７５がＶＭ指令１２２から紙通し用単独駆動指令モード１２３に切替えられる。
【０１１６】
ステップＳ７２にて、仕立準備完了位置走行体検出センサ６４が紙通し経路Ｌ１，Ｌ２，Ｌ３，Ｌ４．Ｌ５の走行体２０２を所定数検出したかどうかを判定する。この所定数とは、折機ＦまでウェブＷを通す紙通し経路を含むものである。ここで、仕立準備完了位置走行体検出センサ６４が紙通し経路Ｌ１，Ｌ２，Ｌ３，Ｌ４，Ｌ５の走行体２０２を所定数検出しないと判定（Ｎｏ）すると、ステップＳ７１の処理を継続して行う。一方、仕立準備完了位置走行体検出センサ６４が紙通し経路Ｌ１，Ｌ２，Ｌ３，Ｌ４，Ｌ５の走行体２０２を所定数検出したと判定（Ｙｅｓ）すると、ステップＳ７３に移行する。
【０１１７】
ステップＳ７３にて、主幹盤１８は、仕立準備完了位置走行体検出センサ６４が検出した紙通し経路に対して、印刷機Ｐの運転操作を行い、紙通し作業を開始する。ＶＭ指令１２２に接続された印刷ユニットＵ１，Ｕ２，Ｕ３，Ｕ４，Ｕ５に関連するインフィードモータ７１、印刷ユニットモータ７２，７３，７４，７５、出口モータ７６がこのＶＭ指令１２２に基づいて駆動回転し、所定数の紙通し経路における紙通し作業が実施される。ステップＳ７４にて、仕立準備完了位置走行体検出センサ６４が紙通し経路Ｌ１，Ｌ２，Ｌ３，Ｌ４．Ｌ５の走行体２０２を所定数検出したかどうかを判定する。この所定数とは、ステップＳ７２で検出していない残りの紙通し経路である。ここで、仕立準備完了位置走行体検出センサ６４が紙通し経路Ｌ１，Ｌ２，Ｌ３，Ｌ４，Ｌ５の走行体２０２を所定数検出しないと判定（Ｎｏ）すると、ステップＳ７４の処理を継続して行う。一方、仕立準備完了位置走行体検出センサ６４が紙通し経路Ｌ１，Ｌ２，Ｌ３，Ｌ４，Ｌ５の走行体２０２を所定数検出したと判定（Ｙｅｓ）すると、ステップＳ７５に移行する。
【０１１８】
ステップＳ７５にて、主幹盤１８は、仕立準備完了位置走行体検出センサ６４が検出した紙通し経路に対して、印刷機Ｐの運転操作を行い、紙通し作業を開始する。ＶＭ指令１２２に接続された印刷ユニットＵ１，Ｕ２，Ｕ３，Ｕ４，Ｕ５に関連するインフィードモータ７１、印刷ユニットモータ７２，７３，７４，７５、出口モータ７６がこのＶＭ指令１２２に基づいて駆動回転し、所定数の紙通し経路における紙通し作業が実施される。
【０１１９】
なお、この同時紙通し開始処理の変形例では、ステップＳ７３にて、作業者が紙通しパネル５２を用いて事前に設定した所定数の紙通し経路に対して紙通し作業を開始する構成としたが、この構成に限定されるものではない。例えば、仕立準備完了位置走行体検出センサ６４が検出した紙通し経路の中から作業者が所望する紙通し経路を適宜選択して、紙通し作業を開始してもよい。
【０１２０】
このように本実施形態の紙通し装置にあっては、給紙装置Ｒとインフィード装置Ｉと印刷装置Ｕとウェブパス装置Ｄを同期して駆動することで、複数の給紙ユニットＲ１，Ｒ２，Ｒ３，Ｒ４，Ｒ５のうちの１つの給紙ユニットから繰り出されたウェブＷを折機Ｆに通すと共に、複数の給紙ユニットＲ１，Ｒ２，Ｒ３，Ｒ４，Ｒ５のうちの残りの複数の給紙ユニットから繰り出された複数のウェブＷをスリッタＤ１１の手前に通す第１紙通しモードと、給紙装置Ｒとウェブパス装置Ｄの同期駆動に対して印刷ユニットＵ１，Ｕ２，Ｕ３，Ｕ４，Ｕ５を単独駆動可能とする版替え用単独駆動指令モード１２４を設け、第１紙通しモードの実行時にウェブＷが折機Ｆに到達した紙通し経路Ｌ１，Ｌ２，Ｌ３，Ｌ４，Ｌ５にある印刷ユニットＵ１，Ｕ２，Ｕ３，Ｕ４，Ｕ５またはウェブＷがスリッタＤ１１の手前に到達した紙通し経路Ｌ１，Ｌ２，Ｌ３，Ｌ４，Ｌ５にある印刷ユニットＵ１，Ｕ２，Ｕ３，Ｕ４，Ｕ５の同期駆動を解除して版替え用単独駆動指令モード１２４を実行する。
【０１２１】
従って、第１紙通しモードにて、複数の給紙ユニットＲ１，Ｒ２，Ｒ３，Ｒ４，Ｒ５から繰り出された各ウェブＷは、対応する各印刷ユニットＵ１，Ｕ２，Ｕ３，Ｕ４，Ｕ５を通ってウェブパス装置Ｄへ供給され、１つのウェブＷがウェブパス装置Ｄを通過して折機Ｆまで供給されて停止し、残りのウェブＷがスリッタＤ１１の手前まで供給されて停止する。このとき、各給紙ユニットＲ１，Ｒ２，Ｒ３，Ｒ４，Ｒ５からスリッタＤ１１までの紙通し経路Ｌ１，Ｌ２，Ｌ３，Ｌ４，Ｌ５の長さが相違することから、複数のウェブＷは折機ＦまたはスリッタＤ１１の手前に順番に到達する。そして、ウェブＷが折機ＦまたはスリッタＤ１１の手前に到達した紙通し経路Ｌ１，Ｌ２，Ｌ３，Ｌ４，Ｌ５にある印刷ユニットＵ１，Ｕ２，Ｕ３，Ｕ４，Ｕ５から順に同期駆動が解除されて版替え用単独駆動指令モード１２４となる。この版替え用単独駆動指令モード１２４は、給紙装置Ｒとウェブパス装置Ｄに対して印刷ユニットＵ１，Ｕ２，Ｕ３，Ｕ４，Ｕ５が単独駆動可能であるため、例えば、ウェブＷが折機ＦまたはスリッタＤ１１の手前に到達した紙通し経路Ｌ１，Ｌ２，Ｌ３，Ｌ４，Ｌ５にある印刷ユニットＵ１，Ｕ２，Ｕ３，Ｕ４，Ｕ５から順に版交換作業を実施することができる。その結果、紙通し作業と版交換作業などを同時に実施することができ、印刷準備時間を短縮することで作業性の向上を図ることができる。
【０１２２】
本実施形態の紙通し装置では、第１紙通しモードの実行指令を出力するウェブ運転パネル５１と、版替え用単独駆動指令モード１２４の実行指令を出力する印刷機ユニット運転パネル５４，５５，５６，５７，５８と、ウェブ運転パネル５１と印刷機ユニット運転パネル５４，５５，５６，５７，５８からの指令が入力することで給紙装置Ｒとインフィード装置Ｉと印刷装置Ｕとウェブパス装置Ｄを駆動制御する主幹盤１８とを設けている。従って、第１紙通しモードと版替え用単独駆動指令モード１２４との切替を容易に行うことができると共に、印刷ユニットＵ１，Ｕ２，Ｕ３，Ｕ４，Ｕ５を単独で容易に駆動することができる。
【０１２３】
本実施形態の紙通し装置では、給紙装置Ｒとインフィード装置Ｉと印刷装置Ｕとウェブパス装置Ｄを同期して駆動するバーチャルマスターモード１２２と、給紙装置Ｒとインフィード装置Ｉと印刷装置Ｕとウェブパス装置Ｄを同期して駆動可能であると共に印刷ユニットだけを単独駆動可能である紙通し用単独駆動指令モード１２３とを設け、主幹盤１８は、第１紙通しモードの実行指令が入力すると、バーチャルマスターモード１２２から紙通し用単独駆動指令モード１２３に切り替えて第１紙通しモードを実行する。従って、給紙装置Ｒとインフィード装置Ｉと印刷装置Ｕとウェブパス装置Ｄを同期して駆動するとき、ウェブＷが折機ＦやスリッタＤ１１の手前に到達した紙通し経路Ｌ１，Ｌ２，Ｌ３，Ｌ４，Ｌ５にある印刷ユニットＵ１，Ｕ２，Ｕ３，Ｕ４，Ｕ５から順に停止することができる。
【０１２４】
本実施形態の紙通し装置では、スリッタＤ１１の手前に到達した複数のウェブＷを折機Ｆに通す第２紙通しモードを設け、主幹盤１８は、第１紙通しモードの完了後に紙通し用単独駆動指令モード１２３で第２紙通しモードを実行する。従って、スリッタＤ１１の手前に到達した各ウェブＷを容易に折機Ｆまで通すことができる。
【０１２５】
本実施形態の紙通し装置では、スリッタＤ１１の手前に到達した複数のウェブＷを折機Ｆに通す順序を設定する紙通しパネル５２を設けている。従って、紙通しパネル５２によりスリッタＤ１１の手前に到達した複数のウェブＷを折機Ｆに通す順序を設定することから、作業者は、印刷形態などに応じてウェブＷを折機Ｆに通す順序を適宜決めることができ、作業性を向上することができる。
【０１２６】
本実施形態の紙通し装置では、主幹盤１８は、紙通しパネル５２からの入力指令により版替え用単独駆動指令モード１２４から第２紙通しモードに切り替える。従って、スリッタＤ１１の手前に到達した複数のウェブＷをスリッタＤ１１から折機Ｆに適切に通すことができる。
【０１２７】
本実施形態の紙通し装置では、ウェブＷを折機Ｆに通す紙通し経路Ｌ１，Ｌ２，Ｌ３，Ｌ４，Ｌ５と、ウェブＷをスリッタＤ１１の手前に通す紙通し経路Ｌ１，Ｌ２，Ｌ３，Ｌ４，Ｌ５を設定する紙通しパネル５２を設けている。従って、紙通しパネル５２によりウェブＷを折機Ｆに通す紙通し経路Ｌ１，Ｌ２，Ｌ３，Ｌ４，Ｌ５とスリッタＤ１１の手前に通す紙通し経路Ｌ１，Ｌ２，Ｌ３，Ｌ４，Ｌ５を設定することができ、印刷形態などに応じてウェブＷを折機Ｆに通す紙通し経路Ｌ１，Ｌ２，Ｌ３，Ｌ４，Ｌ５、つまり、給紙ユニットＲ１，Ｒ２，Ｒ３，Ｒ４，Ｒ５や印刷ユニットＵ１，Ｕ２，Ｕ３，Ｕ４，Ｕ５を決めることができ、作業性を向上することができる。
【０１２８】
本実施形態の紙通し装置では、給紙ユニットＲ１，Ｒ２，Ｒ３，Ｒ４，Ｒ５から繰り出されたウェブＷを折機Ｆに通す紙通し経路Ｌ１，Ｌ２，Ｌ３，Ｌ４，Ｌ５は、複数の給紙ユニットＲ１，Ｒ２，Ｒ３，Ｒ４，Ｒ５から折機Ｆまでの紙通し経路Ｌ１，Ｌ２，Ｌ３，Ｌ４，Ｌ５が最も短い紙通し経路に設定される。従って、給紙ユニットＲ１，Ｒ２，Ｒ３，Ｒ４，Ｒ５から折機Ｆに通す紙通し時間を短くすることができ、待ち時間を短縮して紙通し作業の作業性を向上することができる。
【０１２９】
本実施形態の紙通し装置では、スリッタＤ１１の手前に最初に到達した紙通し経路Ｌ１，Ｌ２，Ｌ３，Ｌ４，Ｌ５の給紙ユニットＲ１，Ｒ２，Ｒ３，Ｒ４，Ｒ５を、ウェブＷを折機Ｆまで紙通しを行う紙通し経路Ｌ１，Ｌ２，Ｌ３，Ｌ４，Ｌ５に設定している。従って、給紙ユニットＲ１，Ｒ２，Ｒ３，Ｒ４，Ｒ５から折機Ｆに通す紙通し時間を短くすることができ、また、紙通し開始前に、紙通し経路Ｌ１，Ｌ２，Ｌ３，Ｌ４，Ｌ５の選択が不要となり、待ち時間を短縮して紙通し作業の作業性を向上することができる。
【０１３０】
本実施形態の紙通し装置では、給紙装置Ｒから折機ＦまでのウェブＷの紙通し経路Ｌ１，Ｌ２，Ｌ３，Ｌ４，Ｌ５に沿って配設されるガイドレール２０１と、ウェブＷの先端部が結合されてガイドレール２０１に沿って走行自在な走行体２０２と、走行体２０２をガイドレール２０１に沿って走行駆動する駆動装置２０３と、走行体２０２がスリッタＤ１１の手前に到達したことを検出するスリッタ走行体検出センサ６２と、走行体２０２が折機Ｆに到達したことを検出する折機走行体検出センサ６３を設け、主幹盤１８は、スリッタ走行体検出センサ６２及び折機走行体検出センサ６３の検出信号に基づいて駆動装置２０３を制御する。従って、スリッタ走行体検出センサ６２及び折機走行体検出センサ６３がスリッタＤ１１の手前や折機Ｆに到達した走行体２０２を検出すると、主幹盤１８は、各センサ６２，６３が設けられたガイドレール２０１を走行する走行体２０２の駆動を停止することとなり、スリッタＤ１１の手前や折機Ｆに到達したウェブＷを高精度に停止することができる。
【０１３１】
本実施形態の紙通し装置では、第２紙通しモードは、スリッタＤ１１の手前に到達した複数のウェブＷを順に折機Ｆに通すモードであり、スリッタＤ１１に停止する１つのウェブＷに結合された走行体２０２が移動を開始し、折機Ｆに到達して折機走行体検出センサ６３が走行体２０２を検出すると、駆動装置２０３により折機Ｆに到達した走行体２０２を停止し、スリッタＤ１１に停止している次のウェブＷに結合された走行体２０２の移動を開始する。従って、スリッタＤ１１に停止しているウェブＷを連続して紙通しすることができ、作業性を向上することができる。
【０１３２】
本実施形態の紙通し装置では、スリッタＤ１１に停止する１つのウェブＷに結合された走行体２０２が移動を開始し、折機Ｆに到達して折機走行体検出センサ６３が走行体２０２を検出すると、駆動装置２０３により折機Ｆに到達した走行体２０２を停止し、走行体２０２がガイドレール２０１から排出されると、スリッタＤ１１に停止している次のウェブＷに結合された走行体２０２の移動を開始する。従って、スリッタＤ１１に停止しているウェブＷを連続して紙通しすることができると共に、走行体２０２同士の衝突を防止してスムースにウェブＷの紙通しを行うことができ、作業性を向上することができる。
【０１３３】
本実施形態の紙通し装置では、走行体２０２が印刷ユニットＵ１，Ｕ２，Ｕ３，Ｕ４，Ｕ５の手前に到達したことを検出する仕立準備完了位置走行体停止センサを設け、仕立準備完了位置走行体停止センサが所定数の走行体２０２を検出すると、第１紙通しモードを実行する。紙通し作業をグループ単位で実施することで、版交換作業を一部先行して実施することができ、作業性の向上を図ることができる。
【０１３４】
本実施形態の紙通し装置では、複数の給紙ユニットＲ１，Ｒ２，Ｒ３，Ｒ４，Ｒ５から折機Ｆまでの紙通し経路Ｌ１，Ｌ２，Ｌ３，Ｌ４，Ｌ５におけるウェブＷにおける紙通しの異常を検出する紙通し異常検出装置を設けている。従って、各給紙ユニットＲ１，Ｒ２，Ｒ３，Ｒ４，Ｒ５から折機Ｆまでの紙通し経路Ｌ１，Ｌ２，Ｌ３，Ｌ４，Ｌ５にウェブＷが走行して紙通し作業が実施されるとき、紙通し異常検出装置が走行するウェブＷ（走行体２０２）の異常として、例えば、断紙を検出することができる。このとき、ウェブＷが切断された紙通し経路Ｌ１，Ｌ２，Ｌ３，Ｌ４，Ｌ５のウェブＷの走行を停止することで、紙詰まりを容易に抑制することができる。また、異常が検出された紙通し経路を表示パネル５３に表示したり、音で報知することで、紙通し作業の異常個所を容易に確認することができ、異常を検出したユニットについて即座に回復することができる。本実施形態の紙通し装置では、複数の給紙ユニットＵ１，Ｕ２，Ｕ３，Ｕ４，Ｕ５からウェブＷが繰り出されるので、紙通しの異常を監視することは重要であり、異常を検出したユニットについて即座に回復することで、紙通し作業を遅延することなく、作業の効率化を図ることができる。
【０１３５】
また、本実施形態の印刷機にあっては、給紙装置Ｒと、インフィード装置Ｉと、印刷装置Ｕと、ウェブパス装置Ｄと、折機Ｆと、紙通し装置２００とを備えている。従って、印刷開始前に、ウェブＷの紙通し作業を実行するとき、複数のウェブＷは、折機ＦまたはスリッタＤ１１の手前に順番に到達するため、ウェブＷが折機ＦまたはスリッタＤ１１に到達した紙通し経路Ｌ１，Ｌ２，Ｌ３，Ｌ４，Ｌ５にある印刷ユニットＵ１，Ｕ２，Ｕ３，Ｕ４，Ｕ５から順に同期駆動が解除されて版替え用単独駆動指令モード１２４となる。この版替え用単独駆動指令モード１２４は、給紙装置Ｒとウェブパス装置Ｄに対して印刷ユニットＵ１，Ｕ２，Ｕ３，Ｕ４，Ｕ５が単独駆動可能であるため、例えば、ウェブＷが折機ＦまたはスリッタＤ１１の手前に到達した紙通し経路Ｌ１，Ｌ２，Ｌ３，Ｌ４，Ｌ５にある印刷ユニットＵ１，Ｕ２，Ｕ３，Ｕ４，Ｕ５から順に版交換作業を実施することができる。その結果、紙通し作業と版交換作業などを同時に実施することができ、印刷準備時間を短縮することで作業性の向上を図ることができる。
【０１３６】
また、本実施形態の印刷準備作業方法にあっては、複数の給紙ユニットＲ１，Ｒ２，Ｒ３，Ｒ４，Ｒ５のうちの１つの給紙ユニットから繰り出されたウェブＷを折機Ｆに通すと共に、複数の給紙ユニットＲ１，Ｒ２，Ｒ３，Ｒ４，Ｒ５のうちの残りの複数の給紙ユニットから繰り出された複数のウェブＷをスリッタＤ１１の手前に通す第１紙通しステップと、ウェブＷが折機Ｆに到達した紙通し経路Ｌ１，Ｌ２，Ｌ３，Ｌ４，Ｌ５にある印刷ユニットＵ１，Ｕ２，Ｕ３，Ｕ４，Ｕ５またはスリッタＤ１１の手前に到達した紙通し経路Ｌ１，Ｌ２，Ｌ３，Ｌ４，Ｌ５にある印刷ユニットＵ１，Ｕ２，Ｕ３，Ｕ４，Ｕ５を単独駆動可能とするステップと、単独駆動可能となった印刷ユニットＵ１，Ｕ２，Ｕ３，Ｕ４，Ｕ５における版胴の版交換作業を実施するステップと、版胴の版交換作業が完了した印刷ユニットＵ１，Ｕ２，Ｕ３，Ｕ４，Ｕ５がある紙通し経路Ｌ１，Ｌ２，Ｌ３，Ｌ４，Ｌ５のウェブＷを折機Ｆに通す第２紙通しステップとを有する。
【０１３７】
従って、ウェブＷが折機ＦまたはスリッタＤ１１の手前に到達した紙通し経路Ｌ１，Ｌ２，Ｌ３，Ｌ４，Ｌ５にある印刷ユニットＵ１，Ｕ２，Ｕ３，Ｕ４，Ｕ５から順に版交換作業を実施することができる。その結果、紙通し作業と版交換作業などを同時に実施することができ、印刷準備時間を短縮することで作業性の向上を図ることができる。
【０１３８】
なお、上述した実施形態では、複数の給紙ユニットＲ１，Ｒ２，Ｒ３，Ｒ４，Ｒ５から繰り出された複数のウェブＷがスリッタＤ１１の手前または折機Ｆに到達した紙通し経路Ｌ１，Ｌ２，Ｌ３，Ｌ４，Ｌ５にある印刷ユニットＵ１，Ｕ２，Ｕ３，Ｕ４，Ｕ５を単独駆動可能とし、印刷ユニットＵ１，Ｕ２，Ｕ３，Ｕ４，Ｕ５における版胴の版交換作業を実施するように構成したが、この構成に限定されるものではない。例えば、版胴の版交換作業の代わりに、各種のメンテナンス作業を実施してもよい。
【０１３９】
例えば、印刷ユニットＵ１，Ｕ２，Ｕ３，Ｕ４，Ｕ５にて、インキローラ洗浄作業やブランケット洗浄作業がある。また、折機Ｆにて、折機調整（折り込みローラやニッピングローラなどのローラ間の隙間調整）、折機の清掃（チリ、ゴミの除去）などがある。
【０１４０】
また、ウェブＷがスリッタＤ１１の手前または折機Ｆに到達したときの停止方法は、本実施形態のように、単独駆動で止めると、精度良く停止するためにより好適であるが、モータを制御から切り離してフリーランとしてもよい。また、バーチャルマスタ（ＶＭ）をウェブＷごとに設定して運転してもよい。
【０１４１】
更に、紙通し調整装置、紙通し操作装置は、パネルで構成されたものに限らず、コンピュータを用いた演算記憶装置であってもよい。
【０１４２】
また、上述した実施形態では、印刷機として新聞用オフセット輪転印刷機Ｐを適用したが、商業用オフセット輪転印刷機やオフセット枚葉印刷機などに適用してもよい。
【符号の説明】
【０１４３】
Ｐ  新聞用オフセット輪転印刷機（印刷機）
Ｒ  給紙装置
Ｒ１，Ｒ２，Ｒ３，Ｒ４，Ｒ５  給紙ユニット
Ｉ  インフィード装置
Ｉ１，Ｉ２，Ｉ３，Ｉ４，Ｉ５  インフィードユニット
Ｕ  印刷装置
Ｕ１，Ｕ２，Ｕ３，Ｕ４，Ｕ５  印刷ユニット
Ｄ  ウェブパス装置
Ｄ１  ウェブパスユニット
Ｄ１１  スリッタ
Ｄ１２  ターンバー
Ｄ１３  コンペンセータ
Ｆ  折機
Ｆ１，Ｆ２  折ユニット
Ｌ１，Ｌ２，Ｌ３，Ｌ４，Ｌ５  紙通し経路
１１，１２，１３，１４，１５，１６，１７  主機盤
１８  主幹盤
３１，３２，３３，３４，３５  印刷機ユニットＰＬＣ
３６  ウェブパスユニットＰＬＣ
３７  折機ユニットＰＬＣ
３８，３９，４０，４１，４２  給紙ユニットＰＬＣ
４３  コンソールＰＬＣ
５１  ウェブ運転パネル（ウェブ運転操作装置）
５２  紙通しパネル（紙通し調整装置、紙通し操作装置）
５３  表示パネル
５４，５５，５６，５７，５８  印刷機ユニット運転パネル（ユニット運転操作装置）
６１  紙通し用走行体モータ
６２  スリッタ走行体検出センサ（第１センサ、紙通し異常検出装置）
６３  折機走行体検出センサ（第２センサ、紙通し異常検出装置）
６４  仕立準備完了位置走行体停止センサ（第３センサ、紙通し異常検出装置）
１２１  メインプログラム
１２２  バーチャルマスター（ＶＭ）指令モード（同期運転モード）
１２３  紙通し用単独駆動指令モード（紙通し用印刷単独駆動モード）
１２４  版替え用単独駆動指令モード（印刷単独駆動モード）
２００  紙通し装置
２０１  ガイドレール
２０２  走行体
２０３  駆動装置
２２２  フローティングローラ（紙通し異常検出装置）
２２４  テンションピックアップローラ（紙通し異常検出装置）
Ｗ  ウェブ（巻取紙）
【図１】
2018020458.tif 000003
【図２】
2018020458.tif 000004
【図３】
2018020458.tif 000005
【図４】
2018020458.tif 000006
【図５】
2018020458.tif 000007
【図６】
2018020458.tif 000008
【図７】
2018020458.tif 000009
【図８】
2018020458.tif 000010
【図９】
2018020458.tif 000011
【図１０】
2018020458.tif 000012
【図１１】
2018020458.tif 000013
【図１２】
2018020458.tif 000014
【図１３】
2018020458.tif 000015
【図１４】
2018020458.tif 000016
【図１５】
2018020458.tif 000017
【図１６】
2018020458.tif 000018